(57)【要約】  本開示は、５Ｇネットワークにおけるタイムセンシティブネットワーク（ＴＳＮ）ストリームのタイムアウェアスケジューリングのための様々な方法を提供する。無線アクセスネットワーク（ＲＡＮ）に関連するコアネットワークにおいて実施される１つの方法は、外部ネットワークに関連する送信スケジュールに従ってＲＡＮにおけるリソースをスケジュールするためのものである。本方法は、外部ネットワークから、タイムセンシティブデータストリームに関連する送信スケジュールを受信すること（１２１０）と、ＲＡＮに、ＲＡＮとユーザ機器（ＵＥ）との間のデータストリームの通信のための無線リソースを割り当てるようにとの要求を送ること（１２２０）とを含む。要求は、送信スケジュールに関係する情報をさらに含む。本方法はまた、ＲＡＮから、データストリームに関連する送信スケジュールを満たすために無線リソースが割り当てられ得るかどうかを指示する応答を受信すること（１２３０）を含む。【選択図】図１２
2022501895.tif 000002
【特許請求の範囲】
【請求項１】
外部ネットワークに関連する送信スケジュールに従って無線アクセスネットワーク（ＲＡＮ）（１６４１）におけるリソースをスケジュールするために、前記ＲＡＮ（１６４１）に関連するコアネットワーク（１６４４）において実施される方法であって、前記方法は、
前記外部ネットワークから、タイムセンシティブデータストリームに関連する送信スケジュールを受信すること（１２１０）と、
前記ＲＡＮ（１６４１）に、前記ＲＡＮ（１６４１）とユーザ機器（ＵＥ）（１６５１、１６５２、１７３０）との間の前記データストリームの通信のための無線リソースを割り当てるようにとの要求を送ること（１２２０）であって、前記要求が、前記送信スケジュールに関係する情報をさらに含む、要求を送ること（１２２０）と、
前記ＲＡＮ（１６４１）から、前記データストリームに関連する前記送信スケジュールを満たすために無線リソースが割り当てられ得るかどうかを指示する応答を受信すること（１２３０）と
を含む、方法。
【請求項２】
前記外部ネットワークがタイムセンシティブネットワーク（ＴＳＮ）を含み、
前記データストリームがＴＳＮストリームを含み、
前記送信スケジュールが、前記ＴＳＮストリームを含む１つまたは複数のトラフィッククラスのためのサイクル時間とゲート制御リストとを含む、
請求項１に記載の方法。
【請求項３】
前記送信スケジュールに関係する前記情報が、
前記ＵＥ（１６５１、１６５２、１７３０）の識別子と、
前記データストリームに関連する１つまたは複数のサービス品質（ＱｏＳ）フローの識別子と、
前記ＱｏＳフローの各々に関連するＱｏＳ要件と
のうちの１つまたは複数を含む、請求項１または２に記載の方法。
【請求項４】
各ＱｏＳ要件は、
前記データストリームが送信されることを必要とされる１つまたは複数の時間ウィンドウ、ならびに／または
初期時間ウィンドウ、および後続の時間ウィンドウを識別する周期性
を含む、請求項３に記載の方法。
【請求項５】
前記応答が、前記データストリームの前記送信スケジュールを満たすために無線リソースが割り当てられ得ないことを指示する場合（１２３５）、前記応答は、無線リソースが割り当てられ得る１つまたは複数のさらなる時間ウィンドウの指示をさらに含む、請求項４に記載の方法。
【請求項６】
前記応答が、前記ＱｏＳフローの各々に関連する前記ＱｏＳ要件が満たされ得るかどうかを指示し、前記ＱｏＳフローの各々に関連する前記ＱｏＳ要件が満たされ得るかどうかの前記指示に基づいて、前記送信スケジュールが満たされ得るかどうかを決定すること（１２４０）をさらに含む、請求項３から５のいずれか一項に記載の方法。
【請求項７】
前記外部ネットワークに、前記送信スケジュールが満たされ得るかどうかの指示を送ること（１２５０）をさらに含む、請求項１から６のいずれか一項に記載の方法。
【請求項８】
前記方法が、５Ｇコアネットワーク（５ＧＣ）におけるアクセス管理機能（ＡＭＦ）によって実施される、請求項１から７のいずれか一項に記載の方法。
【請求項９】
前記送信スケジュールが前記外部ネットワークから受信され、前記無線リソースが、前記ＲＡＮ（１６４１）から前記ＵＥ（１６５１、１６５２、１７３０）へのダウンリンク通信のためのものである、または
前記送信スケジュールが前記ＵＥ（１６５１、１６５２、１７３０）から受信され、前記無線リソースが、前記ＵＥ（１６５１、１６５２、１７３０）から前記ＲＡＮ（１６４１）へのアップリンク通信のためのものである、
請求項１から８のいずれか一項に記載の方法。
【請求項１０】
外部ネットワークに関連する送信スケジュールに従ってコアネットワーク（１６４４）に関連する無線アクセスネットワーク（ＲＡＮ）（１６４１）におけるリソースをスケジュールするために、前記ＲＡＮ（１６４１）において実施される方法であって、前記方法は、
前記コアネットワーク（１６４４）から、タイムセンシティブデータストリームの通信のための前記ＲＡＮ（１６４１）とユーザ機器（ＵＥ）（１６５１、１６５２、１７３０）との間の無線リソースを割り当てるようにとの要求を受信すること（１３１０）であって、前記要求が、前記データストリームに関連する送信スケジュールに関係する情報をさらに含む、要求を受信すること（１３１０）と、
前記送信スケジュールに関係する前記情報に基づいて、前記送信スケジュールを満たすために無線リソースが割り当てられ得るかどうかを決定すること（１３２０）と、
前記コアネットワーク（１６４４）に、前記送信スケジュールを満たすために前記無線リソースが割り当てられ得るかどうかを指示する応答を送ること（１３５０）と
を含む、方法。
【請求項１１】
前記外部ネットワークがタイムセンシティブネットワーク（ＴＳＮ）を含み、
前記データストリームがＴＳＮストリームを含む、
請求項１０に記載の方法。
【請求項１２】
前記送信スケジュールに関係する前記情報が、
前記ＵＥ（１６５１、１６５２、１７３０）の識別子と、
前記データストリームに関連する１つまたは複数のサービス品質（ＱｏＳ）フローの識別子と、
前記ＱｏＳフローの各々に関連するＱｏＳ要件と
のうちの１つまたは複数を含む、請求項１０または１１に記載の方法。
【請求項１３】
前記応答は、前記ＱｏＳフローの各々に関連する前記ＱｏＳ要件が満たされ得るかどうかを指示する、請求項１２に記載の方法。
【請求項１４】
各ＱｏＳ要件は、
前記データストリームが送信されることを必要とされる１つまたは複数の時間ウィンドウ、ならびに／または
初期時間ウィンドウ、および後続の時間ウィンドウを識別する周期性
を含む、請求項１２または１３に記載の方法。
【請求項１５】
前記データストリームに関連する前記送信スケジュールを満たすために無線リソースが割り当てられ得ないと決定された場合（１３３０）、前記方法は、無線リソースが割り当てられ得る１つまたは複数のさらなる時間ウィンドウを決定することをさらに含み、
前記応答が、前記１つまたは複数のさらなる時間ウィンドウの指示をさらに含む、
請求項１４に記載の方法。
【請求項１６】
前記データストリームに関連する前記送信スケジュールを満たすために無線リソースが割り当てられ得ると決定された場合（１３４０）、前記方法は、前記ＲＡＮ（１６４１）と前記ＵＥ（１６５１、１６５２、１７３０）との間の少なくとも１つの無線ベアラに前記１つまたは複数のＱｏＳフローをマッピングすることと、前記少なくとも１つの無線ベアラのための送信リソースを予約することとをさらに含む、請求項１２から１５のいずれか一項に記載の方法。
【請求項１７】
前記送信スケジュールを満たすために無線リソースが割り当てられ得るかどうかを決定することが、現在のまたは推定されたトラフィック負荷のために必要とされるリソースと、前記ＵＥ（１６５１、１６５２、１７３０）の能力と、前記ＲＡＮ（１６４１）と前記ＵＥ（１６５１、１６５２、１７３０）との間のチャネル品質と、前記ＵＥ（１６５１、１６５２、１７３０）のために割り当てられるべき追加の保証リソースの必要とのうちの１つまたは複数にさらに基づく、請求項１０から１６のいずれか一項に記載の方法。
【請求項１８】
前記方法が、５Ｇ  ＲＡＮ（ＮＧ−ＲＡＮ）におけるｇノードＢ（ｇＮＢ）によって実施される、請求項１０から１７のいずれか一項に記載の方法。
【請求項１９】
外部ネットワークに関連する送信スケジュールに従って無線アクセスネットワーク（ＲＡＮ）（１６４１）におけるリソースをスケジュールするために、前記ＲＡＮ（１６４１）と通信しているユーザ機器（ＵＥ）（１６５１、１６５２、１７３０）において実施される方法であって、前記方法は、
前記外部ネットワークから、タイムセンシティブデータストリームに関連する送信スケジュールを受信すること（１４１０）と、
前記ＲＡＮ（１６４１）に関連するコアネットワーク（１６４４）に、前記ＵＥ（１６５１、１６５２、１７３０）と前記ＲＡＮ（１６４１）との間の前記データストリームの通信のための無線リソースを割り当てるようにとの要求を送ること（１４２０）であって、前記要求が、前記送信スケジュールに関係する情報をさらに含む、要求を送ること（１４２０）と、
前記コアネットワーク（１６４４）から、前記データストリームに関連する前記送信スケジュールを満たすために無線リソースが割り当てられ得るかどうかを指示する応答を受信すること（１４３０）と
を含む、方法。
【請求項２０】
前記外部ネットワークがタイムセンシティブネットワーク（ＴＳＮ）を含み、
前記データストリームがＴＳＮストリームを含み、
前記送信スケジュールが、前記ＴＳＮストリームを含む１つまたは複数のトラフィッククラスのためのサイクル時間とゲート制御リストとを含む、
請求項１９に記載の方法。
【請求項２１】
前記コアネットワーク（１６４４）からの前記応答が、前記データストリームの前記送信スケジュールを満たすために無線リソースが割り当てられ得ないことを指示する場合（１４３５）、前記応答は、無線リソースが割り当てられ得る１つまたは複数のさらなる時間ウィンドウの指示をさらに含む、請求項１９または２０に記載の方法。
【請求項２２】
前記コアネットワーク（１６４４）からの前記応答に基づいて、前記外部ネットワークに、前記送信スケジュールが満たされ得るかどうかの指示を送ること（１４４０）をさらに含む、請求項１９から２１のいずれか一項に記載の方法。
【請求項２３】
前記応答が、１つまたは複数のさらなる時間ウィンドウの前記指示を含む場合（１４４５）、前記外部ネットワークに送られた前記指示は、前記１つまたは複数のさらなる時間ウィンドウに関係する情報をさらに含む、
請求項２２に記載の方法。
【請求項２４】
前記コアネットワーク（１６４４）が５Ｇコアネットワーク（５ＧＣ）であり、
前記要求が前記５ＧＣのアクセス管理機能（ＡＭＦ）に送られ、前記応答が前記５ＧＣの前記ＡＭＦから受信される、
請求項１９から２３のいずれか一項に記載の方法。
【請求項２５】
外部ネットワークに関連する送信スケジュールに従って無線アクセスネットワーク（ＲＡＮ）（１６４１）におけるリソースをスケジュールするように設定された、前記ＲＡＮ（１６４１）に関連するコアネットワーク（１６４４）におけるネットワークノードであって、前記ネットワークノードが、
通信インターフェースと、
前記通信インターフェースに動作可能に結合され、請求項１から９のいずれか一項に記載のいずれかの動作を実施するように設定された、処理回路と、
前記ネットワークノードに電力を供給するように設定された電力供給回路と
を含む、ネットワークノード。
【請求項２６】
外部ネットワークに関連する送信スケジュールに従ってコアネットワーク（１６４４）に関連する無線アクセスネットワーク（ＲＡＮ）（１６４１）におけるリソースをスケジュールするように設定された、前記ＲＡＮ（１６４１）におけるネットワークノード（１６４２ａ、１６４２ｂ、１６４２ｃ、１７２０）であって、前記ネットワークノード（１６４２ａ、１６４２ｂ、１６４２ｃ、１７２０）が、
通信インターフェース（１７２６）と、
前記通信インターフェース（１７２６）に動作可能に結合され、請求項１０から１８のいずれか一項に記載のいずれかの動作を実施するように設定された、処理回路（１７２８）と、
前記ネットワークノード（１６４２ａ、１６４２ｂ、１６４２ｃ、１７２０）に電力を供給するように設定された電力供給回路と
を含む、ネットワークノード（１６４２ａ、１６４２ｂ、１６４２ｃ、１７２０）。
【請求項２７】
外部ネットワークに関連する送信スケジュールに従って無線アクセスネットワーク（ＲＡＮ）（１６４１）におけるリソースをスケジュールするように設定された、前記ＲＡＮ（１６４１）と通信しているユーザ機器（ＵＥ）（１６５１、１６５２、１７３０）であって、前記ＵＥ（１６５１、１６５２、１７３０）が、
通信インターフェースと、
前記通信インターフェースに動作可能に結合され、請求項１９から２４のいずれか一項に記載のいずれかの動作を実施するように設定された、処理回路（１７３８）と、
前記ＵＥ（１６５１、１６５２、１７３０）に電力を供給するように設定された電力供給回路と
を含む、ユーザ機器（ＵＥ）（１６５１、１６５２、１７３０）。
【請求項２８】
コアネットワーク（１６４４）のネットワークノードを含む少なくとも１つの処理回路によって実行されたとき、前記ネットワークノードを、請求項１から９のいずれか一項を含む動作のいずれかを実施するように設定する、コンピュータ実行可能命令を記憶する非一時的コンピュータ可読媒体。
【請求項２９】
無線アクセスネットワーク（ＲＡＮ）（１６４１）のネットワークノード（１６４２ａ、１６４２ｂ、１６４２ｃ、１７２０）を含む少なくとも１つの処理回路によって実行されたとき、前記ネットワークノード（１６４２ａ、１６４２ｂ、１６４２ｃ、１７２０）を、請求項１０から１８のいずれか一項を含む動作のいずれかを実施するように設定する、コンピュータ実行可能命令を記憶する非一時的コンピュータ可読媒体。
【請求項３０】
ユーザ機器（ＵＥ）（１６５１、１６５２、１７３０）を含む少なくとも１つの処理回路によって実行されたとき、前記ＵＥ（１６５１、１６５２、１７３０）を、請求項１９から２４のいずれか一項を含む動作のいずれかを実施するように設定する、コンピュータ実行可能命令を記憶する非一時的コンピュータ可読媒体。
【発明の詳細な説明】
【技術分野】
【０００１】
本開示の実施形態は、無線アクセスネットワーク（ＲＡＮ）におけるリソースをスケジュールするための方法および装置に関する。
【背景技術】
【０００２】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになる。
【０００３】
インダストリー４．０は、製造業における自動化およびデータ交換の現在の傾向を指すためにしばしば使用される用語である。インダストリー４．０は、サイバー物理システム、モノのインターネット（ＩｏＴ）、クラウドコンピューティング、およびコグニティブコンピューティングなど、概念および／または技術を含むことができる。インダストリー４．０は、第４次産業革命、または略して「Ｉ４．０」とも呼ばれる。
【０００４】
インダストリー４．０についての１つのシナリオまたは使用事例は、いわゆる「スマートファクトリー」である。モジュラー構造化されたスマートファクトリー内で、サイバー物理システムは、物理プロセスを監視し、物理世界の仮想コピーを作成し、分散化判断を行う。モノのインターネット上で、サイバー物理システムは、内部でと、スマートファクトリーがその一部である価値連鎖の参加者によって提供および使用される組織的サービスにわたっての両方で、リアルタイムで互いとおよび人間と、通信および協働する。
【０００５】
インダストリー４．０に関連する４つの共通原理がある。第１に、「インターオペラビリティ」は、ＩｏＴ、または代替的に「インターネットオブピープル」（ＩｏＰ）を介して互いと通信するために、機械と、デバイスと、センサーと、人々とを接続するアビリティ（ａｂｉｌｉｔｙ）を必要とする。第２に、「情報透明性」は、情報システムが、センサーデータを用いて、実際の（たとえば、スマートファクトリーの）デジタルモデルを豊かにすることによって物理世界の仮想コピーを作成するアビリティを有することを必要とする。たとえば、これは、生のセンサーデータを、より高い値のコンテキスト情報にアグリゲートするアビリティを必要とすることがある。
【０００６】
第３に、「技術支援」は、支援システムが、インフォームド判断を行い、即座に緊急の問題を解決するために、包括的に情報をアグリゲートおよび可視化することによって、人間をサポートすることができることを必要とする。この原理はまた、サイバー物理システムの人間共働者にとって不快であるか、あまりに心身を疲れさせるか、または安全でない、様々なタスクを行うことによって、人間を物理的にサポートする、サイバー物理システムのアビリティを指すことがある。最後に、サイバー物理システムは、分散化判断を行うアビリティと、できるだけ自律的にサイバー物理システムのタスクを実施するアビリティとを有するべきである。言い換えれば、例外、干渉、または矛盾する目標の場合にのみ、タスクは、より高いレベルに委任されるべきである。
【０００７】
インダストリー４．０に関連するこれらの原理は、ネットワークインフラストラクチャに多くの要件を課す様々な使用事例をサポートする。使用事例は、プラント測定など、より簡単な事例から、ロボット化された工場セルにおける正確な動き制御など、（たとえば、通信要件の観点から）より難しい事例を含む。これらの要件に対処するために、ＩＥＥＥ８０２．１ワーキンググループ（特に、タスクグループＴＳＮ）が、タイムセンシティブネットワーキング（ＴＳＮ：Ｔｉｍｅ  Ｓｅｎｓｉｔｉｖｅ  Ｎｅｔｗｏｒｋｉｎｇ）規格を開発した。さらに、第５世代（５Ｇ）モバイル通信技術が、第３世代パートナーシッププロジェクト（３ＧＰＰ）によって規格化されており、それらの目標のうちの１つは、そのようなインダストリー４．０要件をサポートすることである。
【０００８】
５Ｇは、Ｌｏｎｇ−Ｔｅｒｍ  Ｅｖｏｌｕｔｉｏｎ（ＬＴＥ）技術および／または新無線（Ｎｅｗ  Ｒａｄｉｏ：ＮＲ）技術を使用する無線通信に基づき、ＴＳＮは、ＩＥＥＥ８０２．３イーサネット規格、すなわち、「ベストエフォート」サービス品質（ＱｏＳ）のために設計された有線通信規格に基づく。ＴＳＮは、時間同期と、保証された低レイテンシ送信と、改善された信頼性とを含む、レガシーイーサネット性能をより確定的にすることを意図された、特徴の集合を表す。今日利用可能なＴＳＮ特徴は、（関連するＩＥＥＥ仕様を用いて以下で示される）以下のカテゴリーにグループ化され得る。
・  時間同期（たとえば、ＩＥＥＥ８０２．１ＡＳ）、
・  有界低レイテンシ（たとえば、ＩＥＥＥ８０２．１Ｑａｖ、ＩＥＥＥ８０２．１Ｑｂｕ、ＩＥＥＥ８０２．１Ｑｂｖ、ＩＥＥＥ８０２．１Ｑｃｈ、ＩＥＥＥ８０２．１Ｑｃｒ）、
・  超信頼性（たとえば、ＩＥＥＥ８０２．１ＣＢ、ＩＥＥＥ８０２．１Ｑｃａ、ＩＥＥＥ８０２．１Ｑｃｉ）、
・  ネットワーク設定および管理（たとえば、ＩＥＥＥ８０２．１Ｑａｔ、ＩＥＥＥ８０２．１Ｑｃｃ、ＩＥＥＥ８０２．１Ｑｃｐ、ＩＥＥＥ８０２．１ＣＳ）。
【０００９】
ＴＳＮネットワークの設定および管理は、図１〜図３に示されているように、異なるやり方で実装され得る。より詳細には、図１〜図３は、ＩＥＥＥ規格８０２．１Ｑｂｖ−２０１５において指定されているような、それぞれ、分散型タイムセンシティブネットワーキング（ＴＳＮ）設定モデルを示すブロック図、集中型ＴＳＮ設定モデルを示すブロック図、および完全集中型ＴＳＮ設定モデルを示すブロック図である。ＴＳＮネットワーク内で、通信エンドポイントは「トーカー（Ｔａｌｋｅｒ）」および「リスナー（Ｌｉｓｔｅｎｅｒ）」と呼ばれる。トーカーとリスナーとの間のすべてのスイッチおよび／またはブリッジは、ＩＥＥＥ８０２．１ＡＳ時間同期など、いくつかのＴＳＮ特徴をサポートすることができる。「ＴＳＮドメイン」は、ネットワークにおいて同期されるすべてのノードを含み、ＴＳＮ通信は、そのようなＴＳＮドメイン内でのみ可能である。
【００１０】
トーカーとリスナーとの間の通信はストリーム中にある。各ストリームは、トーカーとリスナーの両方において実装されるアプリケーションのデータレート要件とレイテンシ要件とに基づく。ＴＳＮ設定および管理特徴は、ストリームをセットアップし、ネットワークにわたってストリームの要件を保証するために使用される。図１からの分散型モデルでは、トーカーおよびリスナーは、たとえば、ＴＳＮネットワーク中のトーカーからリスナーへの経路に沿ったあらゆるスイッチ中でＴＳＮストリームをセットアップおよび設定するために、ストリーム予約プロトコル（ＳＲＰ：Ｓｔｒｅａｍ  Ｒｅｓｅｒｖａｔｉｏｎ  Ｐｒｏｔｏｃｏｌ）を使用することができる。
【００１１】
とはいえ、いくつかのＴＳＮ特徴は、図２に示されているように、集中型ネットワーク設定（ＣＮＣ：Ｃｅｎｔｒａｌｉｚｅｄ  Ｎｅｔｗｏｒｋ  Ｃｏｎｆｉｇｕｒａｔｉｏｎ）と呼ばれる中央管理エンティティを必要とし得る。ＣＮＣは、たとえば、各ＴＳＮストリームについてネットワークにおけるスイッチを設定するために、ＮｅｔｃｏｎｆモデルとＹＡＮＧモデルとを使用することができる。これはまた、確定的レイテンシで、ＴＳＮネットワークにおけるデータトランスポートを可能にする、（ＩＥＥＥ８０２．１Ｑｂｖにおいて規定されている）時間ゲートされた待ち行列の使用を容易にする。各スイッチ上の時間ゲートされた待ち行列では、待ち行列は、正確なスケジュールに従って開かれるかまたは閉じられ、それにより、高優先度パケットが最小レイテンシおよびジッタで通過することを可能にする。もちろん、パケットは、ゲートが開かれるようにスケジュールされる前に、スイッチ入口ポートに到着し得る。図３に示されている完全集中型モデルは、リスナーとトーカーとのための接点として使用される集中型ユーザ設定（ＣＵＣ：Ｃｅｎｔｒａｌｉｚｅｄ  Ｕｓｅｒ  Ｃｏｎｆｉｇｕｒａｔｉｏｎ）エンティティをも含む。ＣＵＣは、デバイスからストリーム要件とエンドポイント能力とを収集し、直接ＣＮＣと通信する。ＴＳＮ設定に関するさらなる詳細が、ＩＥＥＥ８０２．１Ｑｃｃにおいて与えられる。
【００１２】
図４は、図３に示されている完全集中型設定モデルに基づく、例示的なＴＳＮストリーム設定プロシージャのシーケンス図を示す。図４に示されている番号を付けられた動作は、以下の説明に対応する。たとえそうでも、数のラベルは、動作のための順序を指定するのではなく、説明のために使用される。言い換えれば、図４に示されている動作は、異なる順序で実施され得、図に示されている動作以外の他の動作に組み合わせられ、および／または分割され得る。
１  ＣＵＣは、タイムセンシティブストリームを交換するために、たとえば、デバイスおよび／またはエンドステーションを指定する産業アプリケーションおよび／またはエンジニアリングツール（たとえば、プログラマブル論理制御（ＰＬＣ））から入力を受信することができる。
２  ＣＵＣは、ユーザトラフィックの期間／間隔とペイロードサイズとを含む、ＴＳＮネットワークにおけるエンドステーションおよびアプリケーションの能力を読み取る。
３  この上記の情報に基づいて、ＣＵＣは、各ＴＳＮストリームのための識別子としてのストリームＩＤと、ストリームランクと、ユーザ−ネットワーク要件とを作成する。ＴＳＮネットワークでは、ストリームＩＤは、ストリーム設定を一意に識別し、ＴＳＮリソースをユーザのストリームに割り振るために使用される。ストリームＩＤは、２つのタプル、すなわち、１）ＴＳＮトーカーに関連するマックアドレスと、２）マックアドレスによって識別される、エンドステーション内の複数のストリームを区別するための一意のＩＤとからなる。
４  ＣＮＣは、たとえば、リンクレイヤ発見プロトコル（ＬＬＤＰ）および任意のネットワーク管理プロトコルを使用して物理ネットワークトポロジーを発見する。
５  ＣＮＣは、ＴＳＮネットワークにおけるブリッジのＴＳＮ能力（たとえば、ＩＥＥＥ８０２．１Ｑ、８０２．１ＡＳ、８０２．１ＣＢ）を読み取るためにネットワーク管理プロトコルを使用する。
６  ＣＵＣは、あるトーカーからあるリスナーへのＴＳＮストリームのためのブリッジにおけるネットワークリソースを設定するために、加入要求を始動する。
７  トーカーおよびリスナーグループ（ＴＳＮストリームを指定するエレメントのグループ）は、ＩＥＥＥ８０２．１Ｑｃｃ、４６．２．２において指定されているように、ＣＵＣによって作成される。ＣＮＣは、ＴＳＮドメインを設定し、物理トポロジーを検査し、タイムセンシティブストリームがネットワークにおけるブリッジによってサポートされるかどうかを検査する。ＣＮＣはまた、ストリームの経路およびスケジュール算出を実施する。
８  ＣＮＣは、（たとえば、以下でさらに説明されるように、送信スケジュールの設定）における算出された経路に沿ったブリッジにおけるＴＳＮ特徴を設定する。
９  ＣＮＣは、ストリームのための得られたリソース割り振りについてのステータス（成功または失敗）をＣＵＣに返す。
１０  ＣＵＣは、リスナーとトーカーとの間で最初に規定されたように、ユーザプレーン（ＵＰ）トラフィック交換を始めるためにエンドステーションをさらに設定する。
【００１３】
図１に示されている分散型設定モデルでは、ＣＵＣおよびＣＮＣはない。したがって、トーカーはＴＳＮストリームの始動を担当する。ＣＮＣが存在しないので、ブリッジはそれら自体を設定し、これは、上述の時間ゲートされた待ち行列の使用を可能にしない。対照的に、図２に示されている集中型モデルでは、トーカーはストリーム初期化を担当するが、ブリッジはＣＮＣによって設定される。
【００１４】
３ＧＰＰ規格化された５Ｇネットワークは、無線デバイスおよび／またはエンドステーションを８０２．１ＴＳＮネットワークに接続するための１つのソリューションである。概して、５Ｇネットワークアーキテクチャは、次世代無線アクセスネットワーク（ＮＧ−ＲＡＮ）と５Ｇコアネットワーク（５ＧＣ）とからなる。ＮＧ−ＲＡＮは、１つまたは複数のＮＧインターフェースを介して５ＧＣに接続されたｇノードＢ（基地局とも呼ばれるｇＮＢ）のセットを含むことができるが、ｇＮＢは、１つまたは複数のＸｎインターフェースを介して互いと接続され得る。ｇＮＢの各々は、周波数分割複信（ＦＤＤ）、時分割複信（ＴＤＤ）、またはそれらの組合せをサポートすることができる。ユーザ機器（ＵＥ）とも呼ばれるデバイスは、ｇＮＢを介して５Ｇネットワークと無線通信する。
【００１５】
図５は、制御プレーン（ＣＰ）機能とデータまたはユーザプレーン（ＵＰ）機能とへの５Ｇネットワークアーキテクチャの例示的な分割を示すブロック図である。たとえば、ＵＥは、サービングｇＮＢを介して、ユーザプレーン機能（ＵＰＦ）にデータパケットを送ることによって、外部ネットワーク（たとえば、インターネット）上のデバイスおよび／またはアプリケーションにデータパケットを通信することができ、ＵＰＦは、５Ｇネットワークから他の外部ネットワークへのインターフェースを提供する。ＣＰ機能は、ＵＰ機能と協働して動作することができ、アクセス管理機能（ＡＭＦ）とセッション管理機能（ＳＭＦ）とを含む、図５に示されている様々な機能を含むことができる。
【００１６】
たとえそうでも、５ＧネットワークとＴＳＮネットワークとの適切なインターワーキングのために解決される必要があるいくつかの課題および／または問題点がある。特に、５Ｇネットワークではなく外部ネットワークによって決定されたタイムクリティカル（ｔｉｍｅ−ｃｒｉｔｉｃａｌ）スケジュールに従う、外部ネットワーク（たとえば、ＴＳＮネットワーク）への／からのデータ通信をハンドリングするように５Ｇネットワークを設定することに関係するいくつかの課題がある。
【発明の概要】
【００１７】
本明細書で開示される例示的な実施形態は、既存のソリューションのこれらおよび他の問題、問題点、および／または欠点に対処する。
【００１８】
例示的な実施形態は、外部ネットワークに関連する送信スケジュールに従って無線アクセスネットワーク（ＲＡＮ）におけるリソースをスケジュールするための様々な方法および／またはプロシージャを含む。そのような例示的な方法および／またはプロシージャは、ＲＡＮ（たとえば、ＮＧ−ＲＡＮ）に関連するコアネットワーク（たとえば、５ＧＣ）において実装され得る。
【００１９】
例示的な方法および／またはプロシージャは、外部ネットワークから、タイムセンシティブデータストリームに関連する送信スケジュールを受信することを含むことができる。いくつかの実施形態では、外部ネットワークは、本明細書で説明されるＩＥＥＥ規格において説明されるようなタイムセンシティブネットワーク（ＴＳＮ：Ｔｉｍｅ−Ｓｅｎｓｉｔｉｖｅ  Ｎｅｔｗｏｒｋ）を含む。そのような実施形態では、データストリームは、たとえば、ＴＳＮにおけるトーカーおよび／またはリスナーエンドステーションに関連するＴＳＮストリームを含むことができる。そのような実施形態では、送信スケジュールは、ＴＳＮストリームを含む１つまたは複数のトラフィッククラスのためのサイクル時間とゲート制御リストとを含むことができる。
【００２０】
例示的な方法および／またはプロシージャは、ＲＡＮに、ＲＡＮとユーザ機器（ＵＥ）との間のデータストリームの通信のための無線リソースを割り当てるようにとの要求を送ることであって、要求が、送信スケジュールに関係する情報をさらに含む、要求を送ることをも含むことができる。いくつかの実施形態では、送信スケジュールに関係する情報は、ＵＥの識別子と、データストリームに関連する１つまたは複数のサービス品質（ＱｏＳ）フローの識別子と、ＱｏＳフローの各々に関連するＱｏＳ要件とのうちの１つまたは複数を含む。いくつかの実施形態では、各ＱｏＳ要件は、データストリームが送信されることを必要とされる１つまたは複数の時間ウィンドウを含むことができる。いくつかの実施形態では、各ＱｏＳ要件は、初期時間ウィンドウ、および後続の時間ウィンドウを識別する周期性を含む。
【００２１】
例示的な方法および／またはプロシージャは、ＲＡＮから、データストリームに関連する送信スケジュールを満たすために無線リソースが割り当てられ得るかどうかを指示する応答を受信することをも含むことができる。いくつかの実施形態では、応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む。
【００２２】
いくつかの実施形態では、応答は、ＱｏＳフローの各々に関連するＱｏＳ要件が満たされ得るかどうかを指示することができる。そのような実施形態では、例示的な方法および／またはプロシージャは、ＱｏＳフローの各々に関連するＱｏＳ要件が満たされ得るかどうかの指示に基づいて、送信スケジュールが満たされ得るかどうかを決定することをも含むことができる。いくつかの実施形態では、例示的な方法および／またはプロシージャは、外部ネットワークに、送信スケジュールが満たされ得るかどうかの指示を送ることをも含むことができる。
【００２３】
いくつかの実施形態では、本方法は、５ＧＣにおけるアクセス管理機能（ＡＭＦ）によって実施され得る。いくつかの実施形態では、送信スケジュールは外部ネットワークから受信され得、無線リソースは、ＲＡＮからＵＥへのダウンリンク通信のためのものである。いくつかの実施形態では、送信スケジュールはＵＥから受信され、無線リソースは、ＵＥからＲＡＮへのアップリンク通信のためのものである。
【００２４】
他の例示的な実施形態は、外部ネットワークに関連する送信スケジュールに従って無線アクセスネットワーク（ＲＡＮ）におけるリソースをスケジュールするための様々な他の方法および／またはプロシージャを含む。これらの例示的な方法および／またはプロシージャは、コアネットワーク（たとえば、５ＧＣ）に関連するＲＡＮ（たとえば、ＮＧ−ＲＡＮ）において実装され得る。
【００２５】
これらの例示的な方法および／またはプロシージャは、コアネットワークから、タイムセンシティブデータストリームの通信のためのＲＡＮとユーザ機器（ＵＥ）との間の無線リソースを割り当てるようにとの要求を受信することであって、要求が、データストリームに関連する送信スケジュールに関係する情報をさらに含む、要求を受信することを含むことができる。いくつかの実施形態では、外部ネットワークはタイムセンシティブネットワーク（ＴＳＮ）を含み、データストリームはＴＳＮストリームを含む。
【００２６】
いくつかの実施形態では、送信スケジュールに関係する情報は、ＵＥの識別子と、データストリームに関連する１つまたは複数のサービス品質（ＱｏＳ）フローの識別子と、ＱｏＳフローの各々に関連するＱｏＳ要件とのうちの１つまたは複数を含む。いくつかの実施形態では、各ＱｏＳ要件は、データストリームが送信されることを必要とされる１つまたは複数の時間ウィンドウを含むことができる。いくつかの実施形態では、各ＱｏＳ要件は、初期時間ウィンドウ、および後続の時間ウィンドウを識別する周期性を含む。
【００２７】
例示的な方法および／またはプロシージャは、送信スケジュールに関係する情報に基づいて、送信スケジュールを満たすために無線リソースが割り当てられ得るかどうかを決定することをも含むことができる。いくつかの実施形態では、送信スケジュールを満たすために無線リソースが割り当てられ得るかどうかを決定することは、現在のまたは推定されたトラフィック負荷のために必要とされるリソースと、ＵＥの能力と、ＲＡＮとＵＥとの間のチャネル品質と、ＵＥのために割り当てられるべき追加の保証リソースの必要とのうちの１つまたは複数にさらに基づき得る。
【００２８】
いくつかの実施形態では、データストリームに関連する送信スケジュールを満たすために無線リソースが割り当てられ得ないと決定された場合、例示的な方法および／またはプロシージャは、無線リソースが割り当てられ得る１つまたは複数のさらなる時間ウィンドウを決定することをも含むことができる。  いくつかの実施形態では、データストリームに関連する送信スケジュールを満たすために無線リソースが割り当てられ得ると決定された場合、例示的な方法および／またはプロシージャは、ＲＡＮとＵＥとの間の少なくとも１つの無線ベアラに１つまたは複数のＱｏＳフローをマッピングすることと、少なくとも１つの無線ベアラのための送信リソースを予約することとをも含むことができる。
【００２９】
例示的な方法および／またはプロシージャは、コアネットワークに、送信スケジュールを満たすために無線リソースが割り当てられ得るかどうかを指示する応答を送ることをも含む。  いくつかの実施形態では、送信スケジュールを満たすために無線リソースが割り当てられ得ないと決定された場合、応答は、１つまたは複数のさらなる時間ウィンドウの指示をも含むことができる。
【００３０】
他の例示的な実施形態は、外部ネットワークに関連する送信スケジュールに従って無線アクセスネットワーク（ＲＡＮ）におけるリソースをスケジュールするための様々な他の方法および／またはプロシージャを含む。これらの例示的な方法および／またはプロシージャは、コアネットワーク（たとえば、５ＧＣ）に関連するＲＡＮ（たとえば、ＮＧ−ＲＡＮ）と通信しているユーザ機器（ＵＥ、たとえば、無線デバイス、ＩｏＴデバイス、マシンツーマシン（Ｍ２Ｍ）デバイスなど）において実装され得る。
【００３１】
例示的な方法および／またはプロシージャは、外部ネットワークから、タイムセンシティブデータストリームに関連する送信スケジュールを受信することを含むことができる。いくつかの実施形態では、外部ネットワークは、本明細書で説明されるＩＥＥＥ規格において説明されるようなタイムセンシティブネットワーク（ＴＳＮ）を含む。そのような実施形態では、データストリームは、たとえば、ＴＳＮにおけるトーカーおよび／またはリスナーエンドステーションに関連するＴＳＮストリームを含むことができる。そのような実施形態では、送信スケジュールは、ＴＳＮストリームを含む１つまたは複数のトラフィッククラスのためのサイクル時間とゲート制御リストとを含むことができる。
【００３２】
例示的な方法および／またはプロシージャは、ＲＡＮに関連するコアネットワークに、ＵＥとＲＡＮとの間のデータストリームの通信のための無線リソースを割り当てるようにとの要求を送ることであって、要求が、送信スケジュールに関係する情報をさらに含む、要求を送ることをも含むことができる。いくつかの実施形態では、送信スケジュールに関係する情報は、送信スケジュールを含む。
【００３３】
例示的な方法および／またはプロシージャは、コアネットワークから、データストリームに関連する送信スケジュールを満たすために無線リソースが割り当てられ得るかどうかを指示する応答を受信することをも含むことができる。いくつかの実施形態では、コアネットワークからの応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む。いくつかの実施形態では、要求は５ＧＣにおけるアクセス管理機能（ＡＭＦ）に送られ得、応答は５ＧＣにおけるＡＭＦから受信され得る。
【００３４】
いくつかの実施形態では、例示的な方法および／またはプロシージャは、外部ネットワークに、送信スケジュールが満たされ得るかどうかの指示を送ることをも含むことができる。いくつかの実施形態では、応答が、無線リソースが割り当てられ得る１つまたは複数のさらなる時間ウィンドウの指示を含む場合、外部ネットワークに送られた指示は、１つまたは複数のさらなる時間ウィンドウに関係する情報をさらに含む。
【００３５】
他の例示的な実施形態は、上記で説明された例示的な方法および／またはプロシージャに対応する動作を実施するように設定されたコアネットワークノードと、ＲＡＮノードと、ＵＥとを含む。他の例示的な実施形態は、少なくとも１つのプロセッサによって実行されたとき、そのようなコアネットワークノードと、ＲＡＮノードと、ＵＥとを、上記で説明された例示的な方法および／またはプロシージャに対応する動作を実施するように設定するプログラム命令を記憶する非一時的コンピュータ可読媒体を含む。
【００３６】
本開示の例示的な実施形態のこれらおよび他の目的、特徴および利点は、本開示の例示的な実施形態の以下の発明を実施するための形態を読むと明らかになろう。
【００３７】
本開示の例をより良く理解するために、および本開示の例がどのように実現され得るかをより明らかに示すために、次に、単に例として、以下の図面への参照がなされる。
【図面の簡単な説明】
【００３８】
【図１】ＩＥＥＥ規格８０２．１Ｑｂｖ−２０１５において指定されているような、分散型タイムセンシティブネットワーキング（ＴＳＮ）設定モデルを示すブロック図である。
【図２】ＩＥＥＥ規格８０２．１Ｑｂｖ−２０１５において指定されているような、集中型ＴＳＮ設定モデルを示すブロック図である。
【図３】ＩＥＥＥ規格８０２．１Ｑｂｖ−２０１５において指定されているような、完全集中型ＴＳＮ設定モデルを示すブロック図である。
【図４】図３に示されている完全集中型設定モデルを使用する、例示的なＴＳＮストリーム設定プロシージャのシーケンス図である。
【図５】例示的な５Ｇ無線ネットワークの制御プレーン（ＣＰ）およびデータまたはユーザプレーン（ＵＰ）アーキテクチャを示すブロック図である。
【図６】図５に示されている５Ｇネットワークアーキテクチャと例示的な完全集中型ＴＳＮネットワークアーキテクチャとの間のインターワーキングのための例示的な構成を示すブロック図である。
【図７】ＩＥＥＥ規格８０２．１Ｑｂｖ−２０１５において指定されているような、ゲートに基づくトラフィック待ち行列の間の送信選択を示すブロック図である。
【図８】本開示の様々な例示的な実施形態による、５ＧネットワークとＴＳＮネットワークとを介した２つのＴＳＮトーカー／リスナーユニット間の例示的な通信シナリオを示すブロック図である。
【図９】本開示の様々な例示的な実施形態による、図８に示されているネットワーク設定を介してＴＳＮストリームパケットの適時の配信を設定するための例示的な方法および／またはプロシージャのシーケンス図である。
【図１０】本開示の様々な例示的な実施形態による、５Ｇネットワークを介したＴＳＮトーカー／リスナーユニットと仮想化されたコントローラとの間の例示的な通信シナリオを示すブロック図である。
【図１１】本開示の様々な例示的な実施形態による、図１０に示されているネットワーク設定を介してＴＳＮストリームパケットの適時の配信を設定するための例示的な方法および／またはプロシージャのシーケンス図である。
【図１２】本開示の様々な例示的な実施形態による、コアネットワーク（たとえば、５ＧＣ）におけるネットワークノードによって実施される例示的な方法および／またはプロシージャを示す流れ図である。
【図１３】本開示の様々な例示的な実施形態による、無線アクセスネットワーク（たとえば、ＮＧ−ＲＡＮ）におけるネットワークノードによって実施される例示的な方法および／またはプロシージャを示す流れ図である。
【図１４】本開示の様々な例示的な実施形態による、ユーザ機器（ＵＥ）によって実施される例示的な方法および／またはプロシージャを示す流れ図である。
【図１５】本開示の様々な例示的な実施形態による、様々なやり方で設定された例示的な通信システム、ネットワーク、および／またはネットワークノードのブロック図である。
【図１６】本開示の様々な例示的な実施形態による、様々なやり方で設定された例示的な通信システム、ネットワーク、および／またはネットワークノードのブロック図である。
【図１７】本開示の様々な例示的な実施形態による、様々なやり方で設定された例示的な通信システム、ネットワーク、および／またはネットワークノードのブロック図である。
【図１８】本開示の様々な例示的な実施形態による、通信システムにおいて実装される様々な例示的な方法および／またはプロシージャを示す流れ図である。
【図１９】本開示の様々な例示的な実施形態による、通信システムにおいて実装される様々な例示的な方法および／またはプロシージャを示す流れ図である。
【図２０】本開示の様々な例示的な実施形態による、通信システムにおいて実装される様々な例示的な方法および／またはプロシージャを示す流れ図である。
【図２１】本開示の様々な例示的な実施形態による、通信システムにおいて実装される様々な例示的な方法および／またはプロシージャを示す流れ図である。
【図２２】本開示の様々な例示的な実施形態による、様々なやり方で設定された例示的な無線アクセスノードのブロック図である。
【図２３】本開示の様々な例示的な実施形態による、様々なやり方で設定された例示的な無線アクセスノードのブロック図である。
【図２４】本開示の様々な例示的な実施形態による、様々なやり方で設定された例示的な無線アクセスノードのブロック図である。
【図２５】本開示の様々な例示的な実施形態による、様々なやり方で設定された例示的な無線デバイスまたはＵＥのブロック図である。
【図２６】本開示の様々な例示的な実施形態による、様々なやり方で設定された例示的な無線デバイスまたはＵＥのブロック図である。
【発明を実施するための形態】
【００３９】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。さらに、以下の用語が、以下で与えられる説明全体にわたって使用される。
・  無線ノード：本明細書で使用される「無線ノード」は、「無線アクセスノード」または「無線デバイス」のいずれかであり得る。
・  無線アクセスノード：本明細書で使用される「無線アクセスノード」（または「無線ネットワークノード」）は、信号を無線で送信および／または受信するように動作する、セルラ通信ネットワークの無線アクセスネットワーク（ＲＡＮ）における任意のノードであり得る。無線アクセスノードのいくつかの例は、限定はしないが、基地局（たとえば、３ＧＰＰ第５世代（５Ｇ）ＮＲネットワークにおける新無線（ＮＲ）基地局（ｇＮＢ）、あるいは３ＧＰＰ  ＬＴＥネットワークにおける拡張またはエボルブドノードＢ（ｅＮＢ））と、高電力またはマクロ基地局と、低電力基地局（たとえば、マイクロ基地局、ピコ基地局、ホームｅＮＢなど）と、リレーノードとを含む。
・  コアネットワークノード：本明細書で使用される「コアネットワークノード」は、コアネットワークにおける任意のタイプのノードである。コアネットワークノードのいくつかの例は、たとえば、モビリティ管理エンティティ（ＭＭＥ）、パケットデータネットワークゲートウェイ（Ｐ−ＧＷ）、サービス能力公開機能（ＳＣＥＦ）などを含む。
・  無線デバイス：本明細書で使用される「無線デバイス」は、（１つまたは複数の）無線アクセスノードに対して信号を無線で送信および／または受信することによって、セルラ通信ネットワークへのアクセスを有する（すなわち、セルラ通信ネットワークによってサーブされる）任意のタイプのデバイスである。無線デバイスのいくつかの例は、限定はしないが、３ＧＰＰネットワークにおけるＵＥと、マシン型通信（ＭＴＣ）デバイスとを含む。
・  ネットワークノード：本明細書で使用される「ネットワークノード」は、セルラ通信ネットワーク／システムの無線アクセスネットワークまたはコアネットワークのいずれかの一部である任意のノードである。
【００４０】
本明細書で与えられる説明は３ＧＰＰセルラ通信システムに焦点を当て、したがって、３ＧＰＰ専門用語または３ＧＰＰ専門用語に類似した専門用語がしばしば使用されることに留意されたい。しかしながら、本明細書で開示される概念は、３ＧＰＰシステムに限定されない。さらに、「セル」という用語が本明細書で使用されるが、（特に５Ｇ  ＮＲに関して）セルの代わりにビームが使用され得、したがって、本明細書で説明される概念がセルとビームの両方に等しく適用されることを理解されたい。
【００４１】
図６は、図５に示されている５Ｇネットワークアーキテクチャと例示的な完全集中型ＴＳＮネットワークアーキテクチャとの間のインターワーキングのための例示的な構成を示すブロック図である。以下の説明では、５Ｇネットワークに接続されたデバイスは５Ｇエンドポイントと呼ばれ、ＴＳＮドメインに接続されたデバイスはＴＳＮエンドポイントと呼ばれる。図６に示されている構成は、トーカーＴＳＮエンドポイントと、ＵＥに接続されたリスナー５Ｇエンドポイントとを含む。他の構成では、ＵＥは、代わりに、少なくとも１つのＴＳＮブリッジと少なくとも１つのＴＳＮエンドポイントとを含むＴＳＮネットワークに接続され得る。この設定では、ＵＥは、ＴＳＮ−５Ｇゲートウェイの一部であり得る。
【００４２】
５ＧネットワークとＴＳＮネットワークの両方は、ネットワーク管理および設定のための特定のプロシージャと、確定的性能を達成するための特定の機構とを利用する。産業ネットワークのためのエンドツーエンド確定的ネットワーキングを容易にするために、これらの異なるプロシージャおよび機構は、協働的に一緒に作動しなければならない。
【００４３】
ＩＥＥＥ８０２．１Ｑｂｖ−２０１５において説明されるように、ＴＳＮは、サイクル時間が事前に知られている場合、産業アプリケーションのための確定的低レイテンシを容易にするための特定のタイムアウェアトラフィックスケジューリングを提供する。このトラフィックスケジューリングは、あらかじめ規定された時間スケールに従って各待ち行列からの送信を可能にする、タイムアウェアゲートに基づく。図７は、ＩＥＥＥ規格８０２．１Ｑｂｖ−２０１５において指定されているような、ゲートに基づくトラフィック待ち行列の間のゲートベース送信選択を示すブロック図である。所与の待ち行列について、送信ゲートは、２つの状態、すなわち、開または閉であり得る。
【００４４】
さらに、各送信ゲートは、特定の待ち行列に関連するトラフィッククラスに関し、所与のポートに関連する潜在的に複数の待ち行列がある。時間のインスタンスにおいて、ゲートは、オンまたはオフのいずれかにされ得る。この機構は、タイムアウェアであり、たとえば、ＴＳＮブリッジまたはＴＳＮエンドステーション内のＰＴＰアプリケーションに基づき得る。この機構は、ゲート制御リストの実行がネットワークにわたって正確に協調されることを可能にし、トラフィックの所与のクラスのための緊密にスケジュールされた送信を容易にする。本明細書では、送信スケジュールは、送信が時間的にいつ行われるべきであるかを指示するスケジュールとして規定され得る。また、タイムクリティカル送信スケジュールは、タイムセンシティブネットワーク（ＴＳＮ）の送信が時間的にいつ行われるべきであるかを指示するスケジュールとして規定され得る。
【００４５】
図４に関して上記で説明されたように、ＴＳＮストリームスケジュールに関する情報は、トーカーおよび／またはリスナーによって（および／またはＣＵＣエンティティを介して）提供されるユーザ−ネットワーク要件（たとえば、ＩＥＥＥ８０２．１Ｑｃｃ§４６．２．３．６）に基づいて、完全集中型ＴＳＮモデルにおけるＣＮＣエンティティによって計算される。さらに、（たとえば、ＩＥＥＥ８０２．１Ｑｖｃにおいて規定されている）規格管理オブジェクトおよびリモートネットワーク管理プロトコルが、ＴＳＮブリッジ上の送信スケジュールを設定するためにＣＮＣによって使用される（図４中の動作８）。
【００４６】
とはいえ、これらの特徴は、ＴＳＮネットワークに固有であり、図６に示されているような、インターワーキング５Ｇネットワークアーキテクチャを考慮に入れない。たとえば、５Ｇネットワークは、ＵＥとｇＮＢとの間の無線インターフェース上での送信をスケジュールするとき、エレメント（たとえば、ＵＥ、ｇＮＢなど）が外部ネットワーク（たとえば、ＴＳＮネットワーク）によって確立されたタイムクリティカル送信スケジュールを考慮に入れるための機構を提供しない。たとえば、そのようなタイムクリティカル送信スケジュールが、（たとえば、ＴＳＮエンドポイントに接続された）ＵＥに知られている場合でも、ＵＥがｇＮＢにそのようなスケジュールを知らせるための機構がない。さらに、ｇＮＢまたはＵＥが５Ｇネットワークから来るスケジューリング要求を理解し、処理することを可能にする機構がない。
【００４７】
本開示の例示的な実施形態は、特定の有界レイテンシ要件を満たすための（たとえば、外部ネットワークからの）タイムアウェア送信スケジュールに基づく特定のユーザおよび／またはＱｏＳフローのためのあらかじめ規定された時間スケジューリングについての新規の技法を提供することによって、従来のソリューションのこれらおよび他の問題および／または短所に対処する。たとえば、これらの技法は、ＵＥ（またはネットワークノード、たとえば、ｇＮＢ）が、そのような送信時間スケジュールを知らされ、ネットワークノード（またはＵＥ）にそのスケジュールを知らせるための機構を提供することができる。このようにして、そのような新規の技法は、異なるスケジューラおよび／またはスケジューリング機構を利用する、セルラ（たとえば、５Ｇ）ネットワークとＴＳＮネットワークとの間の協働インターワーキングを含む様々な利益を提供し、それにより、５Ｇネットワークを介したトーカー／リスナーエンドポイント間のタイムクリティカル送信の有界レイテンシを容易にすることができる。
【００４８】
図８は、本開示のいくつかの例示的な実施形態による、５ＧネットワークとＴＳＮネットワークとを介した２つのＴＳＮトーカー／リスナーユニット間の例示的な通信シナリオを示すブロック図である。このシナリオでは、ＵＥはＴＳＮトーカー／リスナーに接続され、ＴＳＮトーカー／リスナーは、あらかじめ規定されたサイクル時間に従ってアプリケーションを稼働することを必要とされるプラント機器（たとえば、ロボット制御）に接続され得る。このシナリオにおける１つの課題は、機器および／またはアプリケーションによって必要とされる有界レイテンシに従って、ｇＮＢからＵＥへのＴＳＮストリームパケットの適時の送信を容易にすることである。
【００４９】
図９は、これらの例示的な実施形態による、図８に示されているネットワーク設定を介してＴＳＮストリームパケットの適時の送信を設定するための例示的な方法および／またはプロシージャのシーケンス図を示す。図９に示されている番号を付けられた動作は、以下の説明に対応する。たとえそうでも、数のラベルは、動作のための順序を指定するのではなく、説明のために使用される。言い換えれば、図９に示されている動作は、異なる順序で実施され得、図に示されている動作以外の他の動作に組み合わせられ、および／または分割され得る。
【００５０】
動作１１において、ＣＵＣは、ＴＳＮネットワークに加入するようにとのユーザのための加入要求をＣＮＣに送る。たとえば、この要求は、プログラマブル論理制御（ＰＬＣ）アプリケーションが、センサー（トーカー）とＰＬＣコントローラ（リスナー）との間のＴＳＮストリームをスケジュールするように要求することに基づき、および／またはそのように要求したことに応答したものであり得る。動作１２において、ＣＮＣは、動作１１において識別されたＴＳＮストリームの特定の要件に基づいて送信スケジュールを算出する。
【００５１】
動作１３において、ＣＮＣは、センサーとＰＬＣコントローラとの間の経路中にあるＴＳＮスイッチの管理されるオブジェクトを設定する。拡張タイムアウェアスケジューリングのために設定されるべき例示的な管理されるオブジェクトは、ＩＥＥＥ８０２．１Ｑｂｖ−２０１５§１２において説明される。例示的な実施形態では、ＣＮＣは、５Ｇネットワークを経路中のＴＳＮスイッチとして扱い、したがって、５Ｇコアネットワーク（５ＧＣ）に、このＴＳＮストリームのためのリソースを設定するように要求する。たとえば、これは、ＣＮＣが、アクセス管理機能（ＡＭＦ、図５〜図６参照）に、ＴＳＮストリーム内のトラフィッククラスのためのサイクル時間とゲート制御リストとを送ることによって行われ得る。
【００５２】
動作１４において、５ＧＣにおける受信エンティティ（たとえば、ＡＭＦ）は、要求されたＴＳＮストリーム要件（たとえば、サイクル時間、ゲート制御リストなど）を、ＴＳＮトーカー／リスナー（たとえば、センサー）に接続されたＵＥのためのＱｏＳ要件に変換することができる。さらに、ＡＭＦは、要求されたＴＳＮストリーム要件を、ＵＥがこのＴＳＮストリームをそこに送信および／または受信する（１つまたは複数の）ｇＮＢのための時間ウィンドウおよび周期性に変換することができる。
【００５３】
いくつかの実施形態では、動作１４は、様々なサブ動作を伴うことができる。たとえば、ＵＥとＴＳＮストリームに対応するＰＤＵセッションとが識別され得、このＴＳＮストリーム内のトラフィッククラスとＵＥのＱｏＳフローとの間のマッピングが識別され得る。（１つまたは複数のトラフィッククラスに対応することができる）各ＱｏＳフローについて、あるＱｏＳ要件がｇＮＢに指示され得る。いくつかの実施形態では、ｇＮＢへのこの指示は、ＱｏＳフローのパケットが送信されることを保証されるべきである時間ウィンドウのインジケータを含むことができる。この時間ウィンドウは、たとえば、時間ウィンドウのための絶対時間参照を提供することによって指示され得、（たとえば、レイテンシ限界としての）ウィンドウの長さとともに始まる。たとえば、絶対時間参照は、グローバルナビゲーション衛星システム（ＧＮＳＳ、たとえば、ＧＰＳ）によって提供されるなど、ｇＮＢサブフレーム（ＳＦＮ）タイミングまたはユニバーサル時間座標（ＵＴＣ）など、ある絶対参照時間へのオフセットとして指示され得る。いくつかの実施形態では、ｇＮＢへの指示は、時間ウィンドウの周期性（または期間）をも含むことができる。これは、たとえば、ＴＳＮストリームが周期的スケジュールに従って行われる複数の送信イベントを含む場合に含まれ得る。
【００５４】
この時間ウィンドウ情報をＵＥのＱｏＳフローごとに指示することによって、１つのＴＳＮストリームまたは複数のＴＳＮストリームの複数のトラフィッククラスが独立してサーブされ得る。言い換えれば、この情報は、影響を受けた（１つまたは複数の）ｇＮＢが、ＱｏＳフローの各々について、それらのＱｏＳフローに関連するそれぞれの時間ウィンドウ中に、無線リソースを予約することを容易にする。たとえば、これは、（１つまたは複数の）ｇＮＢが、様々なＱｏＳフローを異なる無線ベアラにマッピングすることと、リソース割り当て／予約を無線ベアラごとに適用することとを容易にすることができる。本明細書では、無線ベアラは、第３世代パートナーシッププロジェクト（３ＧＰＰ）からの通常の定義をとる。
【００５５】
動作１４において、上記で説明された情報を決定した後に、ＡＭＦは、ＱｏＳ要件、時間ウィンドウ要件、および／または周期性要件が満たされ得ることを確認するようにとの指示および／または要求を、（１つまたは複数の）ｇＮＢに送る。動作１５において、動作１４において送られた要求／指示を受信した後に、１つのｇＮＢ（または、場合によっては、複数のｇＮＢ）は、ｇＮＢが、指示された時間ウィンドウ要件をもつ、この追加のＱｏＳフローをサーブすることができるかどうかを決定する。たとえば、この決定を行う際に、ｇＮＢは、現在のおよび推定されたトラフィック負荷のために使用されるリソースと、ＵＥの能力（たとえば、スペクトル効率、サポートされる送信／受信モードなど）と、ＲＡＮとＵＥとの間のチャネル品質と、追加の保証リソースがＵＥのために割り当てられる必要があるかどうか（および／または、いくつの追加の保証リソースがＵＥのために割り当てられる必要があるか）とを考慮することができる。この決定を行った後に、ｇＮＢは、要求を受け付けること（「はい」）または要求を断ること（「いいえ」）によって、５ＧＣ機能（たとえば、ＡＭＦ）に応答する。いくつかの実施形態では、要求を断ったとき、ｇＮＢは、ｇＮＢが対応する要求を受け付けることができる代替時間ウィンドウを（たとえば、要求された時間ウィンドウへのオフセットによって）指示することができる。ｇＮＢが要求を受け付ける状況では、ｇＮＢはまた、要求された送信スケジュールを満たすために必要とされるような、識別された任意の追加のリソースを予約することができる。
【００５６】
動作１６において、（１つまたは複数の）ｇＮＢからの応答を受信した後に、５ＧＣ機能は、次いで、ＱｏＳフローごとのマッピングに基づくこの応答を、トラフィックフロー／ＴＳＮストリームレベルのグラニュラリティに変換し得、ＴＳＮ  ＣＮＣに応答を提供し得る。この応答は、ＴＳＮ  ＣＮＣによって復号され得るフォーマットのものであり得る。動作１７において、この応答を受信した後に、ＣＮＣは、動作１１において受信された加入要求への対応する応答をＣＵＣに提供する。動作１８において、ＣＮＣからの加入応答を受信した後に、ＣＵＣは、さらに、元の要求に関連するすべてのトーカーおよびリスナーエンドステーションを設定する。いくつかの実施形態では、ＣＵＣはまた、５ＧＣに、ＵＥへの接続を始動するように要求することができ、他の実施形態では、５ＧＣまたはＣＵＣは、デフォルトおよび／またはすでに存在するＰＤＵセッションを使用し得る。
【００５７】
図１０は、本開示の他の例示的な実施形態による、５Ｇネットワークを介したＴＳＮトーカー／リスナーユニットと仮想化されたコントローラとの間の別の例示的な通信シナリオを示すブロック図である。このシナリオでは、ＴＳＮネットワークは、ＵＥに接続され、ＵＥは、トーカー／リスナーエンドステーションを無線リンク上で５Ｇネットワークに接続するためのゲートウェイとして働く。このシナリオにおける１つの課題は、ＴＳＮネットワークにおけるＣＮＣによって算出されたスケジュールによって必要とされる有界レイテンシに従って、ＵＥからｇＮＢへのＴＳＮストリームパケットの適時の送信を容易にすることである。
【００５８】
図１１は、これらの例示的な実施形態による、図１０に示されているネットワーク設定を介してＴＳＮストリームパケットの適時の配信を設定するための例示的な方法および／またはプロシージャのシーケンス図を示す。図１１に示されている番号を付けられた動作は、以下の説明に対応する。たとえそうでも、数のラベルは、動作のための順序を指定するのではなく、説明のために使用される。言い換えれば、図１１に示されている動作は、異なる順序で実施され得、図に示されている動作以外の他の動作に組み合わせられ、および／または分割され得る。
【００５９】
動作２１において、ＣＮＣは、ＣＵＣによって提供された要件に基づいて送信スケジュールを計算し、この送信スケジュールを、この場合ＵＥである、５ＧネットワークのＴＳＮインターフェースに送る。動作２２において、ＵＥは、メッセージ中に含まれ得る、ＣＮＣによって提供された送信スケジュールに従って、アップリンク（ＵＬ）無線リソースを要求するメッセージを作成し、送る。たとえば、ＵＥは、メッセージを、５ＧＣにおけるＡＭＦに送ることができる。動作２３において、このメッセージを受信した後に、ＡＭＦは、５ＧＣにおけるユーザデータ管理（ＵＤＭ）機能からＵＥプロファイルを取り出し、この情報に基づいて、どの（１つまたは複数の）ｇＮＢにＵＥが接続されるかを決定する。動作２４において、ＡＭＦは、要求中に含まれ得る送信スケジュールに基づく、ＵＥに対するＴＳＮ  ＱｏＳ特徴を可能にするために、その要求を（１つまたは複数の）ｇＮＢに送る。いくつかの実施形態では、ＡＭＦはまた、変更された時間参照を、５Ｇネットワークに接続された他のトーカー／リスナー（たとえば、仮想化されたコントローラ）に送ることができる（動作２４ａ）。
【００６０】
動作２５において、（１つまたは複数の）受信ｇＮＢは、図９の動作１５に関して、ただし、ダウンリンクではなくアップリンクに関して上記で説明されたものと実質的に同様の動作を実施することができる。動作２５において送られた（１つまたは複数の）ｇＮＢからの応答を受信した後に、ＡＭＦは、動作２２においてＵＥから受信されたリソースについての要求に応答することができる（動作２６）。図９に示されている動作１６と同様に、ＡＭＦは、ＱｏＳフローごとのマッピングに基づくｇＮＢ応答を、トラフィックフロー／ＴＳＮストリームレベルのグラニュラリティに変換することができ、ＵＥにこのフォーマットの応答を提供する。動作２７において、ＵＥは、動作２１において受信された要求された送信スケジュールに応答して、この情報をＣＮＣにフォワーディングすることができる。図９によって示されているいくつかの実施形態に関して上記で説明されたように、ｇＮＢが、要求された送信スケジュールを断るが、ｇＮＢが受け付けることができる代替時間ウィンドウを提供する場合、図９の動作１５〜１７および図１１の動作２５〜２７において送られた応答は、それぞれの受信側のプロトコルおよび／または要件に従ってフォーマットおよび／または変換された、そのような代替時間ウィンドウを含むことができる。
【００６１】
上記の説明から理解され得るように、これらおよび他の例示的な実施形態は、ＴＳＮネットワークなどの外部ネットワークのタイムセンシティブ（たとえば、有界レイテンシ）要件に従って、セルラネットワーク（たとえば、５Ｇネットワーク）における送信のタイムアウェアスケジューリングを容易にする。例示的な実施形態は、外部ネットワークによって提供されたトラフィックに関連するタイミングおよび周期性に関する情報を（ＵＥ、またはＡＭＦなどのネットワーク機能のいずれかを介して）収集し、そのような情報をセルラネットワークにおける１つまたは複数の基地局（たとえば、ｇＮＢ）にフォワーディングするための新規の技法を通してそのような機能を容易にする。そのような場合、（１つまたは複数の）基地局は、要求されたトラフィックの外部タイムセンシティブ要件がサポートされ得るかどうかを決定し、要求されたトラフィックの外部タイムセンシティブ要件がサポートされ得る場合、ＵＥと（１つまたは複数の）基地局との間のアップリンク送信またはダウンリンク送信をスケジュールするためにそのような情報を利用することができる。
【００６２】
図１２は、本開示の様々な例示的な実施形態による、外部ネットワークに関連する送信スケジュールに従って無線アクセスネットワーク（ＲＡＮ）におけるリソースをスケジュールするための例示的な方法および／またはプロシージャを示す流れ図である。図１２に示されている例示的な方法および／またはプロシージャは、本明細書の他の図に示されているか、または本明細書の他の図に関して説明されるコアネットワークノード（たとえば、ＡＭＦ）によってなど、ＲＡＮ（たとえば、ＮＧ−ＲＡＮ）に関連するコアネットワーク（たとえば、５ＧＣ）において実装され得る。さらに、以下で説明されるように、図１２に示されている例示的な方法および／またはプロシージャは、本明細書で説明される様々な例示的な利益を提供するために、（以下で説明される）図１３および／または図１４に示されている例示的な方法および／またはプロシージャと協働して利用され得る。図１２は、特定の順序でブロックを示すが、この順序は例にすぎず、例示的な方法および／またはプロシージャの動作は、図１２に示されているのとは異なる順序で実施され得、異なる機能を有するブロックに組み合わせられ、および／または分割され得る。随意の動作が、破線によって表される。
【００６３】
図１２に示されている例示的な方法および／またはプロシージャは、ブロック１２１０の動作を含むことができ、ネットワークノードは、外部ネットワークから、タイムセンシティブデータストリームに関連する送信スケジュールを受信することができる。本明細書では、タイムセンシティブデータストリームは、タイムセンシティブネットワーク（ＴＳＮ）のデータストリームであり得る。したがって、いくつかの実施形態では、外部ネットワークは、本明細書で説明されるＩＥＥＥ規格において説明されるようなタイムセンシティブネットワーク（ＴＳＮ）を含む。そのような実施形態では、データストリームは、たとえば、ＴＳＮにおけるトーカーおよび／またはリスナーエンドステーションに関連するＴＳＮストリームを含むことができる。そのような実施形態では、送信スケジュールは、ＴＳＮストリームを含む１つまたは複数のトラフィッククラスのためのサイクル時間とゲート制御リストとを含むことができる。
【００６４】
例示的な方法および／またはプロシージャは、ブロック１２２０の動作をも含むことができ、ネットワークノードは、ＲＡＮに、ＲＡＮとユーザ機器（ＵＥ）との間のデータストリームの通信のための無線リソースを割り当てるようにとの要求を送ることができ、要求は、送信スケジュールに関係する情報をさらに含む。いくつかの実施形態では、送信スケジュールに関係する情報は、ＵＥの識別子と、データストリームに関連する１つまたは複数のサービス品質（ＱｏＳ）フローの識別子と、ＱｏＳフローの各々に関連するＱｏＳ要件とのうちの１つまたは複数を含む。いくつかの実施形態では、各ＱｏＳ要件は、データストリームが送信されることを必要とされる１つまたは複数の時間ウィンドウを含むことができる。いくつかの実施形態では、各ＱｏＳ要件は、初期時間ウィンドウ、および後続の時間ウィンドウを識別する周期性を含む。
【００６５】
例示的な方法および／またはプロシージャは、ブロック１２３０の動作をも含むことができ、ネットワークノードは、ＲＡＮから、データストリームに関連する送信スケジュールを満たすために無線リソースが割り当てられ得るかどうかを指示する応答を受信することができる。いくつかの実施形態では、サブブロック１２３５によれば、応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む。
【００６６】
いくつかの実施形態では、応答は、ＱｏＳフローの各々に関連するＱｏＳ要件が満たされ得るかどうかを指示することができる。そのような実施形態では、例示的な方法および／またはプロシージャは、ブロック１２４０の動作をも含むことができ、ネットワークノードは、ＱｏＳフローの各々に関連するＱｏＳ要件が満たされ得るかどうかの指示に基づいて、送信スケジュールが満たされ得るかどうかを決定することができる。いくつかの実施形態では、例示的な方法および／またはプロシージャは、ブロック１２５０の動作をも含むことができ、ネットワークノードは、外部ネットワークに、送信スケジュールが満たされ得るかどうかの指示を送ることができる。
【００６７】
いくつかの実施形態では、本方法は、５Ｇコアネットワーク（５ＧＣ）におけるアクセス管理機能（ＡＭＦ）によって実施され得る。いくつかの実施形態では、送信スケジュールは外部ネットワークから受信され得、無線リソースは、ＲＡＮからＵＥへのダウンリンク通信のためのものである。いくつかの実施形態では、送信スケジュールはＵＥから受信され、無線リソースは、ＵＥからＲＡＮへのアップリンク通信のためのものである。
【００６８】
図１３は、本開示の様々な例示的な実施形態による、外部ネットワークに関連する送信スケジュールに従って無線アクセスネットワーク（ＲＡＮ）におけるリソースをスケジュールするための例示的な方法および／またはプロシージャを示す流れ図である。図１３に示されている例示的な方法および／またはプロシージャは、本明細書の他の図に示されているか、または本明細書の他の図に関して説明されるＲＡＮノード（たとえば、ｇＮＢ）によってなど、コアネットワーク（たとえば、５ＧＣ）に関連するＲＡＮ（たとえば、ＮＧ−ＲＡＮ）において実装され得る。さらに、以下で説明されるように、図１３に示されている例示的な方法および／またはプロシージャは、本明細書で説明される様々な例示的な利益を提供するために、（上記で説明された）図１２および／または（以下で説明される）図１４に示されている例示的な方法および／またはプロシージャと協働して利用され得る。図１３は、特定の順序でブロックを示すが、この順序は例にすぎず、例示的な方法および／またはプロシージャの動作は、図１３に示されているのとは異なる順序で実施され得、異なる機能を有するブロックに組み合わせられ、および／または分割され得る。随意の動作が、破線によって表される。
【００６９】
図１３に示されている例示的な方法および／またはプロシージャは、ブロック１３１０の動作を含むことができ、ネットワークノードは、コアネットワークから、タイムセンシティブデータストリームの通信のためのＲＡＮとユーザ機器（ＵＥ）との間の無線リソースを割り当てるようにとの要求を受信することができ、要求は、データストリームに関連する送信スケジュールに関係する情報をさらに含む。いくつかの実施形態では、外部ネットワークはタイムセンシティブネットワーク（ＴＳＮ）を含み、データストリームはＴＳＮストリームを含む。
【００７０】
いくつかの実施形態では、送信スケジュールに関係する情報は、ＵＥの識別子と、データストリームに関連する１つまたは複数のサービス品質（ＱｏＳ）フローの識別子と、ＱｏＳフローの各々に関連するＱｏＳ要件とのうちの１つまたは複数を含む。いくつかの実施形態では、各ＱｏＳ要件は、データストリームが送信されることを必要とされる１つまたは複数の時間ウィンドウを含むことができる。いくつかの実施形態では、各ＱｏＳ要件は、初期時間ウィンドウ、および後続の時間ウィンドウを識別する周期性を含む。
【００７１】
図１３に示されている例示的な方法および／またはプロシージャは、ブロック１３２０の動作をも含むことができ、ネットワークノードは、送信スケジュールに関係する情報に基づいて、送信スケジュールを満たすために無線リソースが割り当てられ得るかどうかを決定することができる。いくつかの実施形態では、送信スケジュールを満たすために無線リソースが割り当てられ得るかどうかを決定することは、現在のまたは推定されたトラフィック負荷のために必要とされるリソースと、ＵＥの能力と、ＲＡＮとＵＥとの間のチャネル品質と、ＵＥのために割り当てられるべき追加の保証リソースの必要とのうちの１つまたは複数にさらに基づき得る。
【００７２】
いくつかの実施形態では、ブロック１３２０において、データストリームに関連する送信スケジュールを満たすために無線リソースが割り当てられ得ないと決定された場合、例示的な方法および／またはプロシージャは、ブロック１３３０の動作を含み、ネットワークノードは、無線リソースが割り当てられ得る１つまたは複数のさらなる時間ウィンドウを決定することができる。  いくつかの実施形態では、ブロック１３２０において、データストリームに関連する送信スケジュールを満たすために無線リソースが割り当てられ得ると決定された場合、例示的な方法および／またはプロシージャは、ブロック１３４０の動作を含み、ネットワークノードは、ＲＡＮとＵＥとの間の少なくとも１つの無線ベアラに１つまたは複数のＱｏＳフローをマッピングすることと、少なくとも１つの無線ベアラのための送信リソースを予約することとができる。
【００７３】
例示的な方法および／またはプロシージャは、ブロック１３５０の動作を含み、ネットワークノードは、コアネットワークに、送信スケジュールを満たすために無線リソースが割り当てられ得るかどうかを指示する応答を送ることができる。  いくつかの実施形態では、ブロック１３２０において、送信スケジュールを満たすために無線リソースが割り当てられ得ないと決定された場合、ブロック１３５０において送られた応答は、随意のサブブロック１３３０において決定された１つまたは複数のさらなる時間ウィンドウの指示をも含むことができる。これは、随意のサブブロック１３５５によって示されている。
【００７４】
図１４は、本開示の様々な例示的な実施形態による、外部ネットワークに関連する送信スケジュールに従って無線アクセスネットワーク（ＲＡＮ）におけるリソースをスケジュールするための例示的な方法および／またはプロシージャを示す流れ図である。図１４に示されている例示的な方法および／またはプロシージャは、たとえば、本明細書の他の図に示されているか、または本明細書の他の図に関して説明されるような、コアネットワーク（たとえば、５ＧＣ）に関連するＲＡＮ（たとえば、ＮＧ−ＲＡＮ）と通信しているユーザ機器（ＵＥ、たとえば、無線デバイス、ＩｏＴデバイス、Ｍ２Ｍデバイスなど）によって実装され得る。さらに、以下で説明されるように、図１４に示されている例示的な方法および／またはプロシージャは、本明細書で説明される様々な例示的な利益を提供するために、（上記説明された）図１２および／または図１３に示されている例示的な方法および／またはプロシージャと協働して利用され得る。図１４は、特定の順序でブロックを示すが、この順序は例にすぎず、例示的な方法および／またはプロシージャの動作は、図１４に示されているのとは異なる順序で実施され得、異なる機能を有するブロックに組み合わせられ、および／または分割され得る。随意の動作が、破線によって表される。
【００７５】
図１４に示されている例示的な方法および／またはプロシージャは、ブロック１４１０の動作を含むことができ、ＵＥは、外部ネットワークから、タイムセンシティブデータストリームに関連する送信スケジュールを受信することができる。いくつかの実施形態では、外部ネットワークは、本明細書で説明されるＩＥＥＥ規格において説明されるようなタイムセンシティブネットワーク（ＴＳＮ）を含む。そのような実施形態では、データストリームは、たとえば、ＴＳＮにおけるトーカーおよび／またはリスナーエンドステーションに関連するＴＳＮストリームを含むことができる。そのような実施形態では、送信スケジュールは、ＴＳＮストリームを含む１つまたは複数のトラフィッククラスのためのサイクル時間とゲート制御リストとを含むことができる。
【００７６】
例示的な方法および／またはプロシージャは、ブロック１４２０の動作をも含むことができ、ＵＥは、ＲＡＮに関連するコアネットワークに、ＵＥとＲＡＮとの間のデータストリームの通信のための無線リソースを割り当てるようにとの要求を送ることができ、要求は、送信スケジュールに関係する情報をさらに含む。いくつかの実施形態では、送信スケジュールに関係する情報は、送信スケジュールを含む。
【００７７】
例示的な方法および／またはプロシージャは、ブロック１４３０の動作をも含むことができ、ＵＥは、コアネットワークから、データストリームに関連する送信スケジュールを満たすために無線リソースが割り当てられ得るかどうかを指示する応答を受信することができる。いくつかの実施形態では、コアネットワークからの応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む。これは、随意のサブブロック１４３５によって示されている。いくつかの実施形態では、要求（ブロック１４２０）は５ＧＣにおけるアクセス管理機能（ＡＭＦ）に送られ得、応答（ブロック１４３０）は５ＧＣにおけるＡＭＦから受信され得る。
【００７８】
いくつかの実施形態では、例示的な方法および／またはプロシージャは、ブロック１４４０の動作をも含むことができ、ＵＥは、外部ネットワークに、送信スケジュールが満たされ得るかどうかの指示を送ることができる。いくつかの実施形態では、ブロック１４３０において受信された応答が、無線リソースが割り当てられ得る１つまたは複数のさらなる時間ウィンドウの指示を含む場合（サブブロック１４３５）、外部ネットワークに送られた指示は、１つまたは複数のさらなる時間ウィンドウに関係する情報をさらに含む。これは、随意のサブブロック１４４５によって示されている。
【００７９】
図１５は、上記で説明された例示的な方法のうちのいずれかを実装するために使用可能な様々なデバイスおよび／またはシステムを含む、セルラ通信システムおよび／またはネットワークの一例を示す。本明細書で説明される実施形態では、セルラ通信ネットワーク１５００は、５Ｇ  ＮＲネットワークである。この例では、セルラ通信ネットワーク１５００は、ＬＴＥにおいてｅＮＢと呼ばれ、５Ｇ  ＮＲにおいてｇＮＢと呼ばれる、基地局１５０２−１および１５０２−２を含み、対応するマクロセル１５０４−１および１５０４−２を制御する。基地局１５０２−１および１５０２−２は、概して、本明細書では、まとめて基地局１５０２と呼ばれ、個別に基地局１５０２と呼ばれる。同様に、マクロセル１５０４−１および１５０４−２は、概して、本明細書では、まとめてマクロセル１５０４と呼ばれ、個別にマクロセル１５０４と呼ばれる。
【００８０】
セルラ通信ネットワーク１５００は、対応するスモールセル１５０８−１〜１５０８−４を制御する、いくつかの低電力ノード１５０６−１〜１５０６−４をも含むことができる。低電力ノード１５０６−１〜１５０６−４は、（ピコ基地局またはフェムト基地局などの）小さい基地局、リモート無線ヘッド（ＲＲＨ）などであり得る。特に、示されていないが、スモールセル１５０８−１〜１５０８−４のうちの１つまたは複数は、基地局１５０２によって代替的に提供され得る。低電力ノード１５０６−１〜１５０６−４は、概して、本明細書では、まとめて低電力ノード１５０６と呼ばれ、個別に低電力ノード１５０６と呼ばれる。同様に、スモールセル１５０８−１〜１５０８−４は、概して、本明細書では、まとめてスモールセル１５０８と呼ばれ、個別にスモールセル１５０８と呼ばれる。基地局１５０２（および、随意に低電力ノード１５０６）は、コアネットワーク６１５０に接続される。
【００８１】
基地局１５０２と低電力ノード１５０６とは、対応するセル１５０４および１５０８中の無線デバイス１５１２−１〜１５１２−５にサービスを提供する。無線デバイス１５１２−１〜１５１２−５は、概して、本明細書では、まとめて無線デバイス１５１２と呼ばれ、個別に無線デバイス１５１２と呼ばれる。無線デバイス１５１２は、本明細書では、ＵＥと呼ばれることもある。無線デバイス１５１２は、ＭＴＣおよび／またはＮＢ−ＩｏＴに適合するものを含む、様々な形態をとることができる。
【００８２】
図１６は、本開示の様々な実施形態による、別の例示的な通信システムおよび／またはネットワークを示す。システムは、無線アクセスネットワーク（ＲＡＮ）１６４１（たとえば、ＮＲ  ＲＡＮ）とコアネットワーク１６４４（たとえば、５ＧＣ）とを含む、３ＧＰＰタイプのセルラネットワークなどの通信ネットワーク１６４０を含む。ＲＡＮ１６４１は、ｇＮＢまたは他のタイプの無線アクセスポイントなど、複数の基地局１６４２ａ、１６４２ｂ、１６４２ｃを含み、各々が、対応するカバレッジエリア１６４３ａ、１６４３ｂ、１６４３ｃを規定する。各基地局１６４２ａ、１６４２ｂ、１６４２ｃは、有線接続または無線接続１６４５を介してコアネットワーク１６４４に接続可能である。カバレッジエリア１６４３ｃ中に位置する第１のユーザ機器（ＵＥ）１６５１は、対応する基地局１６４２ｃに無線で接続するか、または対応する基地局１６４２ｃによってページングされるように設定される。カバレッジエリア１６４３ａ中の第２のＵＥ１６５２が、対応する基地局１６４２ａに無線で接続可能である。この例では複数のＵＥ１６５１、１６５２が示されているが、開示される実施形態は、唯一のＵＥがカバレッジエリア中にある状況、または唯一のＵＥが、対応する基地局１６４２に接続している状況に等しく適用可能である。
【００８３】
通信ネットワーク１６４０は、ホストコンピュータ１６３０に接続され得、ホストコンピュータ１６３０は、スタンドアロンサーバ、クラウド実装サーバ、分散サーバのハードウェアおよび／またはソフトウェアで、あるいはサーバファーム中の処理リソースとして具現され得る。ホストコンピュータ１６３０は、サービスプロバイダの所有または制御下にあり得るか、あるいはサービスプロバイダによってまたはサービスプロバイダの代わりに動作され得る。通信ネットワーク１６４０とホストコンピュータ１６３０との間の接続１６２１、１６２２が、コアネットワーク１６４４からホストコンピュータ１６３０まで直接延び得るか、または随意の中間ネットワーク１６２０を介して進み得る。中間ネットワーク１６２０は、公衆ネットワーク、プライベートネットワークまたはホストされたネットワークのうちの１つ、あるいはそれらのうちの２つ以上の組合せであり得、中間ネットワーク１６２０は、もしあれば、バックボーンネットワークまたはインターネットであり得、特に、中間ネットワーク１６２０は、２つまたはそれ以上のサブネットワーク（図示せず）を含み得る。
【００８４】
図１６の通信システムは、ＵＥ１６５１、１６５２のうちの１つまたは複数とホストコンピュータ１６３０との間のコネクティビティを容易にすることができる。接続性は、オーバーザトップ（ＯＴＴ）接続１６５０として説明され得る。ホストコンピュータ１６３０および接続されたＵＥ１６５１、１６５２は、アクセスネットワーク１６４１、コアネットワーク１６４４、任意の中間ネットワーク１６２０、および考えられるさらなるインフラストラクチャ（図示せず）を媒介として使用して、ＯＴＴ接続１６５０を介して、データおよび／またはシグナリングを通信するように設定される。ＯＴＴ接続１６５０は、ＯＴＴ接続１６５０が通過する、参加する通信デバイスが、アップリンクおよびダウンリンク通信のルーティングに気づいていないという意味で、透過的であり得る。たとえば、基地局１６４２は、接続されたＵＥ１６５１にフォワーディング（たとえば、ハンドオーバ）されるべき、ホストコンピュータ１６３０から発生したデータを伴う着信ダウンリンク通信の過去のルーティングについて、知らされないことがあるかまたは知らされる必要がない。同様に、基地局１６４２は、ＵＥ１６５１から発生してホストコンピュータ１６３０に向かう発信アップリンク通信の将来のルーティングに気づいている必要がない。
【００８５】
また、一実施形態による、本明細書で説明されるＵＥ、基地局、およびホストコンピュータの例示的な実装形態が、図１７を参照しながら説明され得る。通信システム１７００では、ホストコンピュータ１７１０は、通信システム１７００の異なる通信デバイスのインターフェースとの有線接続または無線接続をセットアップおよび維持するように設定された通信インターフェース１７１６を含む、ハードウェア１７１５を含む。ホストコンピュータ１７１０は、記憶能力および／または処理能力を有し得る、処理回路１７１８をさらに含む。特に、処理回路１７１８は、命令を実行するように適応された、１つまたは複数のプログラマブルプロセッサ、特定用途向け集積回路、フィールドプログラマブルゲートアレイ、またはこれらの組合せ（図示せず）を含み得る。ホストコンピュータ１７１０は、ホストコンピュータ１７１０に記憶されるかまたはホストコンピュータ１７１０によってアクセス可能であり、処理回路１７１８によって実行可能である、ソフトウェア１７１１をさらに含む。ソフトウェア１７１１はホストアプリケーション１７１２を含む。ホストアプリケーション１７１２は、ＵＥ１７３０およびホストコンピュータ１７１０において終端するＯＴＴ接続１７５０を介して接続するＵＥ１７３０など、リモートユーザにサービスを提供するように動作可能であり得る。リモートユーザにサービスを提供する際に、ホストアプリケーション１７１２は、ＯＴＴ接続１７５０を使用して送信されるユーザデータを提供することができる。
【００８６】
通信システム１７００は、通信システム中に提供される基地局１７２０をさらに含み、基地局１７２０は、基地局１７２０がホストコンピュータ１７１０およびＵＥ１７３０と通信することを可能にするハードウェア１７２５を含む。ハードウェア１７２５は、通信システム１７００の異なる通信デバイスのインターフェースとの有線接続または無線接続をセットアップおよび維持するための通信インターフェース１７２６、ならびに基地局１７２０によってサーブされるカバレッジエリア（図８に図示せず）中に位置するＵＥ１７３０との少なくとも無線接続１７７０をセットアップおよび維持するための無線インターフェース１７２７を含み得る。通信インターフェース１７２６は、ホストコンピュータ１７１０への接続１７６０を容易にするように設定され得る。接続１７６０は直接であり得るか、あるいは、接続１７６０は、通信システムのコアネットワーク（図１７に図示せず）を、および／または通信システムの外部の１つまたは複数の中間ネットワークを通過することができる。図示の実施形態では、基地局１７２０のハードウェア１７２５は、処理回路１７２８をも含むことができ、処理回路１７２８は、命令を実行するように適応された、１つまたは複数のプログラマブルプロセッサ、特定用途向け集積回路、フィールドプログラマブルゲートアレイ、またはこれらの組合せ（図示せず）を含むことができる。基地局１７２０は、内部的に記憶されるかまたは外部接続を介してアクセス可能なソフトウェア１７２１をも含むことができる。
【００８７】
通信システム１７００は、すでに言及されたＵＥ１７３０をさらに含む。ＵＥ１７３０のハードウェア１７３５は、ＵＥ１７３０が現在位置するカバレッジエリア（たとえば、セル）をサーブする基地局との無線接続１７７０をセットアップおよび維持するように設定された、無線インターフェース１７３７を含むことができる。ＵＥ１７３０のハードウェア１７３５は、処理回路１７３８をも含むことができ、処理回路１７３８は、命令を実行するように適応された、１つまたは複数のプログラマブルプロセッサ、特定用途向け集積回路、フィールドプログラマブルゲートアレイ、またはこれらの組合せ（図示せず）を含み得る。ＵＥ１７３０は、ＵＥ１７３０に記憶されるかまたはＵＥ１７３０によってアクセス可能であり、処理回路１７３８によって実行可能である、ソフトウェア１７３１をさらに含む。ソフトウェア１７３１はクライアントアプリケーション１７３２を含む。クライアントアプリケーション１７３２は、ホストコンピュータ１７１０のサポートを伴って、ＵＥ１７３０を介して人間のまたは人間でないユーザにサービスを提供するように動作可能であり得る。ホストコンピュータ１７１０では、実行しているホストアプリケーション１７１２は、ＵＥ１７３０およびホストコンピュータ１７１０において終端するＯＴＴ接続１７５０を介して、実行しているクライアントアプリケーション１７３２と通信し得る。ユーザにサービスを提供する際に、クライアントアプリケーション１７３２は、ホストアプリケーション１７１２から要求データを受信し、要求データに応答してユーザデータを提供し得る。ＯＴＴ接続１７５０は、要求データとユーザデータの両方を転送し得る。クライアントアプリケーション１７３２は、クライアントアプリケーション１７３２が提供するユーザデータを生成するためにユーザと対話し得る。
【００８８】
図１７に示されているホストコンピュータ１７１０、基地局１７２０およびＵＥ１７３０は、それぞれ、図１６のホストコンピュータ１６３０、基地局１６１２ａ、１６１２ｂ、１６１２ｃのうちの１つ、およびＵＥ１６５１、１６５２のうちの１つと同等であり得ることに留意されたい。つまり、これらのエンティティの内部の働きは、図１７に示されているようなものであり得、別個に、周囲のネットワークトポロジーは、図１６のものであり得る。
【００８９】
図１７では、ＯＴＴ接続１７５０は、中間デバイスとこれらのデバイスを介したメッセージの正確なルーティングとへの明示的言及なしに、基地局１７２０を介したホストコンピュータ１７１０とユーザ機器１７３０との間の通信を示すために、抽象的に描かれている。ネットワークインフラストラクチャが、ルーティングを決定し得、ネットワークインフラストラクチャは、ＵＥ１７３０からまたはホストコンピュータ１７１０を動作させるサービスプロバイダから、またはその両方からルーティングを隠すように設定され得る。ＯＴＴ接続１７５０がアクティブである間、ネットワークインフラストラクチャは、さらに、ネットワークインフラストラクチャが、（たとえば、ネットワークの負荷分散考慮または再設定に基づいて）ルーティングを動的に変更する判断を行い得る。
【００９０】
ＵＥ１７３０と基地局１７２０との間の無線接続１７７０は、本開示全体にわたって説明される実施形態の教示に従う。様々な実施形態のうちの１つまたは複数は、無線接続１７７０が最後のセグメントを形成するＯＴＴ接続１７５０を使用して、ＵＥ１７３０に提供されるＯＴＴサービスの性能を改善するために使用され得る。たとえば、アクセスネットワークの（たとえば、基地局１７２０の）、ＵＥとアプリケーションサーバとの間のデータフローのためのサービス品質（ＱｏＳ）保証の非順守への変更についての、ユーザ機器（ＵＥ）への事前通知を可能にすることは、特に安全な動作に関して、そのようなアプリケーションの性能および／または動作効率を改善することができる。これらの改善は、ＲＡＮユーザ（たとえば、ＵＥ）によって、たとえば、重要なアプリケーション障害がないこととして経験され得る。
【００９１】
１つまたは複数の実施形態が改善する、データレート、レイテンシおよび他のファクタを監視する目的での、測定プロシージャが提供され得る。測定結果の変動に応答して、ホストコンピュータ１７１０とＵＥ１７３０との間のＯＴＴ接続１７５０を再設定するための随意のネットワーク機能がさらにあり得る。測定プロシージャおよび／またはＯＴＴ接続１７５０を再設定するためのネットワーク機能は、ホストコンピュータ１７１０のソフトウェア１７１１においてまたはＵＥ１７３０のソフトウェア１７３１において、またはその両方において実装され得る。実施形態では、ＯＴＴ接続１７５０が通過する通信デバイスにおいて、またはその通信デバイスに関連して、センサー（図示せず）が展開され得、センサーは、上記で例示された監視された量の値を供給すること、またはソフトウェア１７１１、１７３１が監視された量を算出または推定し得る他の物理量の値を供給することによって、測定プロシージャに参加し得る。ＯＴＴ接続１７５０の再設定は、メッセージフォーマット、再送信セッティング、好ましいルーティングなどを含み得、再設定は、基地局１７２０に影響を及ぼす必要がなく、再設定は、基地局１７２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータ１７１０の測定を容易にするプロプライエタリＵＥシグナリングを伴い得る。測定は、ソフトウェア１７１１、１７３１が、ソフトウェア１７１１、１７３１が伝搬時間、エラーなどを監視する間にＯＴＴ接続１７５０を使用して、メッセージ、特に空のまたは「ダミー」メッセージが送信されることを引き起こすことにおいて、実装され得る。
【００９２】
図１８は、一実施形態による、通信システムにおいて実装される方法を示すフローチャートである。通信システムは、図７および図８を参照しながら説明されたものであり得る、ホストコンピュータと基地局とＵＥとを含む。本開示の簡単のために、図１８への図面参照のみがこのセクションに含まれる。方法の第１のステップ１８００において、ホストコンピュータはユーザデータを提供する。第１のステップ１８００の随意のサブステップ１８０２において、ホストコンピュータは、ホストアプリケーションを実行することによって、ユーザデータを提供する。第２のステップ１８０４において、ホストコンピュータは、ＵＥにユーザデータを搬送する送信を始動する。随意の第３のステップ１８０６において、基地局は、本開示全体にわたって説明される実施形態の教示に従って、ホストコンピュータが始動した送信において搬送されたユーザデータをＵＥに送信する。随意の第４のステップ１８０８において、ＵＥは、ホストコンピュータによって実行されたホストアプリケーションに関連するクライアントアプリケーションを実行する。
【００９３】
図１９は、１つまたは複数の実施形態による、通信システムにおいて実装される方法を示すフローチャートである。通信システムは、本明細書の他の図を参照しながら説明されたものであり得る、ホストコンピュータと基地局とＵＥとを含む。本開示の簡単のために、図１９への図面参照のみがこのセクションに含まれる。方法の第１のステップ１９００において、ホストコンピュータはユーザデータを提供する。随意のサブステップ（図示せず）において、ホストコンピュータは、ホストアプリケーションを実行することによって、ユーザデータを提供する。第２のステップ１９０２において、ホストコンピュータは、ＵＥにユーザデータを搬送する送信を始動する。送信は、本開示全体にわたって説明される実施形態の教示に従って、基地局を介して進み得る。随意の第３のステップ１９０４において、ＵＥは、送信において搬送されたユーザデータを受信する。
【００９４】
図２０は、１つまたは複数の実施形態による、通信システムにおいて実装される方法を示すフローチャートである。通信システムは、本明細書の他の図を参照しながら説明されたものであり得る、ホストコンピュータと基地局とＵＥとを含む。本開示の簡単のために、図２０への図面参照のみがこのセクションに含まれる。方法の随意の第１のステップ２０００において、ＵＥは、ホストコンピュータによって提供された入力データを受信する。追加または代替として、随意の第２のステップ２００２において、ＵＥはユーザデータを提供する。第２のステップ２０２０の随意のサブステップ２００６において、ＵＥは、クライアントアプリケーションを実行することによって、ユーザデータを提供する。第１のステップ２０００のさらなる随意のサブステップ２００４において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、随意の第３のサブステップ２００８において、ホストコンピュータへのユーザデータの送信を始動する。方法の第４のステップ２０１０において、ホストコンピュータは、本開示全体にわたって説明される実施形態の教示に従って、ＵＥから送信されたユーザデータを受信する。
【００９５】
図２１は、１つまたは複数の実施形態による、通信システムにおいて実装される方法を示すフローチャートである。通信システムは、本明細書の他の図を参照しながら説明されたものであり得る、ホストコンピュータと基地局とＵＥとを含む。本開示の簡単のために、図２１への図面参照のみがこのセクションに含まれる。方法の随意の第１のステップ２１００において、本開示全体にわたって説明される実施形態の教示に従って、基地局は、ＵＥからユーザデータを受信する。随意の第２のステップ２１０２において、基地局は、ホストコンピュータへの、受信されたユーザデータの送信を始動する。第３のステップ２１０４において、ホストコンピュータは、基地局によって始動された送信において搬送されたユーザデータを受信する。
【００９６】
図２２は、本開示のいくつかの実施形態による、無線アクセスノード２２００の概略ブロック図である。無線アクセスノード２２００は、たとえば、１つまたは複数の他の図に関して本明細書で説明された基地局（たとえば、ｇＮＢまたはｅＮＢ）であり得る。示されているように、無線アクセスノード２２００は、１つまたは複数のプロセッサ２２０４（たとえば、中央処理ユニット（ＣＰＵ）、特定用途向け集積回路（ＡＳＩＣ）、フィールドプログラマブルゲートアレイ（ＦＰＧＡ）など）と、メモリ２２０６と、ネットワークインターフェース２２０８とをさらに含む制御システム２２０２を含む。さらに、無線アクセスノード２２００は、各々が、１つまたは複数のアンテナ２２１６に結合された１つまたは複数の送信機２２１２と１つまたは複数の受信機２２１４とを含む、１つまたは複数の無線ユニット２２１０を含む。いくつかの実施形態では、（１つまたは複数の）無線ユニット２２１０は、制御システム２２０２の外部にあり、たとえば、有線接続（たとえば、光ケーブル）を介して制御システム２２０２に接続される。しかしながら、いくつかの他の実施形態では、（１つまたは複数の）無線ユニット２２１０および潜在的に（１つまたは複数の）アンテナ２２１６は、制御システム２２０２とともに一体化される。１つまたは複数のプロセッサ２２０４は、本明細書で説明されるように無線アクセスノード２２００の１つまたは複数の機能を提供するように動作する。いくつかの実施形態では、（１つまたは複数の）機能は、たとえば、メモリ２２０６に記憶され、１つまたは複数のプロセッサ２２０４によって実行される、ソフトウェアで実装される。
【００９７】
図２３は、本開示のいくつかの実施形態による、無線アクセスノード２２００の仮想化された実施形態を示す概略ブロック図である。この説明は、他のタイプのネットワークノードに等しく適用可能である。さらに、他のタイプのネットワークノードは、同様の仮想化されたアーキテクチャを有し得る。
【００９８】
本明細書で使用される「仮想化された」無線アクセスノードは、無線アクセスノード２２００の機能の少なくとも一部分が、（たとえば、（１つまたは複数の）ネットワークにおける（１つまたは複数の）物理処理ノード上で実行する（１つまたは複数の）仮想マシンを介して）（１つまたは複数の）仮想構成要素として実装される無線アクセスノード２２００の一実装形態である。示されているように、この例では、無線アクセスノード２２００は、上記で説明されたように、１つまたは複数のプロセッサ２２０４（たとえば、ＣＰＵ、ＡＳＩＣ、ＦＰＧＡなど）と、メモリ２２０６と、ネットワークインターフェース２２０８とを含む制御システム２２０２と、各々が、１つまたは複数のアンテナ２２２３に結合された１つまたは複数の送信機２２１２および１つまたは複数の受信機２２１４を含む、１つまたは複数の無線ユニット２２１０とを含む。制御システム２２０２は、たとえば、光ケーブルなどを介して（１つまたは複数の）無線ユニット２２１０に接続される。制御システム２２０２は、ネットワークインターフェース２３０８を介して、（１つまたは複数の）ネットワーク２３０２に結合されるかまたは（１つまたは複数の）ネットワーク２３０２の一部として含まれる、１つまたは複数の処理ノード２３００に接続され得る。各処理ノード２３００は、１つまたは複数のプロセッサ２３１０（たとえば、ＣＰＵ、ＡＳＩＣ、ＤＳＰ、ＦＰＧＡなど）と、メモリ２３０６と、ネットワークインターフェース２３０８とを含むことができる。
【００９９】
この例では、本明細書で説明される無線アクセスノード２２００の機能２３１０は、１つまたは複数の処理ノード２３００において実装されるか、または制御システム２２０２および１つまたは複数の処理ノード２３００にわたって任意の所望の様式で分散される。いくつかの特定の実施形態では、本明細書で説明される無線アクセスノード２２００の機能２３１０の一部または全部は、（１つまたは複数の）処理ノード２３００によってホストされる（１つまたは複数の）仮想環境において実装される１つまたは複数の仮想マシンによって実行される仮想構成要素として実装される。当業者によって諒解されるように、（１つまたは複数の）処理ノード２３００と制御システム２２０２との間の追加のシグナリングまたは通信が、所望の機能２３１０のうちの少なくともいくつかを行うために使用される。特に、いくつかの実施形態では、制御システム２２０２が含まれないことがあり、その場合、（１つまたは複数の）無線ユニット２２１０は、（１つまたは複数の）適切なネットワークインターフェースを介して（１つまたは複数の）処理ノード２３００と直接通信する。
【０１００】
いくつかの実施形態では、少なくとも１つのプロセッサによって実行されたとき、本明細書で説明される実施形態のうちのいずれかに従って、少なくとも１つのプロセッサに、仮想環境における無線アクセスノード２２００の機能２３１０のうちの１つまたは複数を実装する無線アクセスノード２２００またはノード（たとえば、処理ノード２３００）の機能を行わせる命令を含むコンピュータプログラムが提供される。いくつかの実施形態では、上述のコンピュータプログラム製品を含むキャリアが提供される。キャリアは、電子信号、光信号、無線信号、またはコンピュータ可読記憶媒体（たとえば、メモリなど、非一時的コンピュータ可読媒体）のうちの１つである。
【０１０１】
図２４は、本開示のいくつかの他の実施形態による、無線アクセスノード２２００の概略ブロック図である。無線アクセスノード２２００は、１つまたは複数のモジュール２４００を含み、その各々はソフトウェアで実装される。（１つまたは複数の）モジュール２４００は、本明細書で説明される無線アクセスノード２２００の機能を提供する。この説明は、モジュール２４００が、１つまたは複数の処理ノード２３００および／または制御システム２２０２にわたって実装および／または分散され得る、図２３の処理ノード２３００に等しく適用可能である。
【０１０２】
図２５は、本開示のいくつかの実施形態による、ＵＥ２５００の概略ブロック図である。示されているように、ＵＥ２５００は、１つまたは複数のプロセッサ２５０２（たとえば、ＣＰＵ、ＡＳＩＣ、ＦＰＧＡなど）と、メモリ２５０４と、各々が、１つまたは複数のアンテナ２５１２に結合された１つまたは複数の送信機２５０８および１つまたは複数の受信機２５１０を含む、１つまたは複数のトランシーバ２５０６とを含む。いくつかの実施形態では、上記で説明されたＵＥ２５００の機能は、たとえば、メモリ２５０４に記憶され、（１つまたは複数の）プロセッサ２５０２によって実行される、ソフトウェアで完全にまたは部分的に実装され得る。
【０１０３】
いくつかの実施形態では、少なくとも１つのプロセッサによって実行されたとき、本明細書で説明される実施形態のうちのいずれかに従って、少なくとも１つのプロセッサにＵＥ２５００の機能を行わせる命令を含むコンピュータプログラムが提供される。いくつかの実施形態では、上述のコンピュータプログラム製品を含むキャリアが提供され得る。キャリアは、電子信号、光信号、無線信号、またはコンピュータ可読記憶媒体（たとえば、物理メモリなど、非一時的コンピュータ可読媒体）のうちの１つであり得る。
【０１０４】
図２６は、本開示のいくつかの他の実施形態による、ＵＥ２５００の概略ブロック図である。これらの実施形態では、ＵＥ２５００は、１つまたは複数のモジュール２６００を含むことができ、その各々はソフトウェアで実装される。（１つまたは複数の）モジュール２６００は、上記で説明されたＵＥ２５００の機能の少なくとも一部分を提供することができる。
【０１０５】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを含み得る。これらの機能ユニットは、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、それぞれの機能ユニットに、本開示の１つまたは複数の実施形態による、対応する機能を実施させるために使用され得る。
【０１０６】
本明細書で説明される技法および装置の例示的な実施形態は、限定はしないが、以下の列挙された例を含む。
１．  外部ネットワークに関連する送信スケジュールに従って無線アクセスネットワーク（ＲＡＮ）におけるリソースをスケジュールするために、ＲＡＮに関連するコアネットワークにおいて実施される方法であって、方法は、
外部ネットワークから、タイムセンシティブデータストリームに関連する送信スケジュールを受信することと、
ＲＡＮに、ＲＡＮとユーザ機器（ＵＥ）との間のデータストリームの通信のための無線リソースを割り当てるようにとの要求を送ることであって、要求が、送信スケジュールに関係する情報をさらに含む、要求を送ることと、
ＲＡＮから、データストリームに関連する送信スケジュールを満たすために無線リソースが割り当てられ得るかどうかを指示する応答を受信することと
を含む、方法。
２．  外部ネットワークがタイムセンシティブネットワーク（ＴＳＮ）を含み、
データストリームがＴＳＮストリームを含み、
送信スケジュールが、ＴＳＮストリームを含む１つまたは複数のトラフィッククラスのためのサイクル時間とゲート制御リストとを含む、
実施形態１に記載の方法。
３．  送信スケジュールに関係する情報が、
ＵＥの識別子と、
データストリームに関連する１つまたは複数のサービス品質（ＱｏＳ）フローの識別子と、
ＱｏＳフローの各々に関連するＱｏＳ要件と
のうちの１つまたは複数を含む、実施形態１または２に記載の方法。
４．  各ＱｏＳ要件は、データストリームが送信されることを必要とされる１つまたは複数の時間ウィンドウを含む、実施形態１から３に記載の方法。
５．  各ＱｏＳ要件が、初期時間ウィンドウ、および後続の時間ウィンドウを識別する周期性を含む、実施形態３または４に記載の方法。
６．  応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む、実施形態４または５に記載の方法。
７．  応答が、ＱｏＳフローの各々に関連するＱｏＳ要件が満たされ得るかどうかを指示し、ＱｏＳフローの各々に関連するＱｏＳ要件が満たされ得るかどうかの指示に基づいて、送信スケジュールが満たされ得るかどうかを決定することをさらに含む、実施形態１から６のいずれか１つに記載の方法。
８．  外部ネットワークに、送信スケジュールが満たされ得るかどうかの指示を送ることをさらに含む、実施形態１から７のいずれか１つに記載の方法。
９．  方法が、５Ｇコアネットワーク（５ＧＣ）におけるアクセス管理機能（ＡＭＦ）によって実施される、実施形態１から８のいずれか１つに記載の方法。
１０．  送信スケジュールが外部ネットワークから受信され、
無線リソースが、ＲＡＮからＵＥへのダウンリンク通信のためのものである、
実施形態１から９のいずれか１つに記載の方法。
１１．  送信スケジュールがＵＥから受信され、
無線リソースが、ＵＥからＲＡＮへのアップリンク通信のためのものである、
実施形態１から９のいずれか１つに記載の方法。
１２．  外部ネットワークに関連する送信スケジュールに従ってコアネットワークに関連する無線アクセスネットワーク（ＲＡＮ）におけるリソースをスケジュールするために、ＲＡＮにおいて実施される方法であって、方法は、
コアネットワークから、タイムセンシティブデータストリームの通信のためのＲＡＮとユーザ機器（ＵＥ）との間の無線リソースを割り当てるようにとの要求を受信することであって、要求が、データストリームに関連する送信スケジュールに関係する情報をさらに含む、要求を受信することと、
送信スケジュールに関係する情報に基づいて、送信スケジュールを満たすために無線リソースが割り当てられ得るかどうかを決定することと、
コアネットワークに、送信スケジュールを満たすために無線リソースが割り当てられ得るかどうかを指示する応答を送ることと
を含む、方法。
１３．  外部ネットワークがタイムセンシティブネットワーク（ＴＳＮ）を含み、
データストリームがＴＳＮストリームを含む、
実施形態１２に記載の方法。
１４．  送信スケジュールに関係する情報が、
ＵＥの識別子と、
データストリームに関連する１つまたは複数のサービス品質（ＱｏＳ）フローの識別子と、
ＱｏＳフローの各々に関連するＱｏＳ要件と
のうちの１つまたは複数を含む、実施形態１２または１３に記載の方法。
１５．  応答は、ＱｏＳフローの各々に関連するＱｏＳ要件が満たされ得るかどうかを指示する、実施形態１４に記載の方法。
１６．  各ＱｏＳ要件は、データストリームが送信されることを必要とされる１つまたは複数の時間ウィンドウを含む、実施形態１２から１５のいずれか１つに記載の方法。
１７．  各ＱｏＳ要件が、初期時間ウィンドウ、および後続の時間ウィンドウを識別する周期性を含む、実施形態１２から１６のいずれか１つに記載の方法。
１８．  データストリームに関連する送信スケジュールを満たすために無線リソースが割り当てられ得ないと決定された場合、方法は、無線リソースが割り当てられ得る１つまたは複数のさらなる時間ウィンドウを決定することをさらに含み、
応答が、１つまたは複数のさらなる時間ウィンドウの指示をさらに含む、
実施形態１６または１７に記載の方法。
１９．  データストリームに関連する送信スケジュールを満たすために無線リソースが割り当てられ得ると決定された場合、方法は、ＲＡＮとＵＥとの間の少なくとも１つの無線ベアラに１つまたは複数のＱｏＳフローをマッピングすることと、少なくとも１つの無線ベアラのための送信リソースを予約することとをさらに含む、実施形態１６から１８のいずれか１つに記載の方法。
２０．  送信スケジュールを満たすために無線リソースが割り当てられ得るかどうかを決定することが、現在のまたは推定されたトラフィック負荷のために必要とされるリソースと、ＵＥの能力と、ＲＡＮとＵＥとの間のチャネル品質と、ＵＥのために割り当てられるべき追加の保証リソースの必要とのうちの１つまたは複数にさらに基づく、実施形態１２から１９のいずれか１つに記載の方法。
２１．  方法が、５Ｇ  ＲＡＮ（ＮＧ−ＲＡＮ）におけるｇノードＢ（ｇＮＢ）によって実施される、実施形態１２から２０のいずれか１つに記載の方法。
２２．  外部ネットワークに関連する送信スケジュールに従って無線アクセスネットワーク（ＲＡＮ）におけるリソースをスケジュールするために、ＲＡＮと通信しているユーザ機器（ＵＥ）において実施される方法であって、方法は、
外部ネットワークから、タイムセンシティブデータストリームに関連する送信スケジュールを受信することと、
ＲＡＮに関連するコアネットワークに、ＵＥとＲＡＮとの間のデータストリームの通信のための無線リソースを割り当てるようにとの要求を送ることであって、要求が、送信スケジュールに関係する情報をさらに含む、要求を送ることと、
コアネットワークから、データストリームに関連する送信スケジュールを満たすために無線リソースが割り当てられ得るかどうかを指示する応答を受信することと
を含む、方法。
２３．  外部ネットワークがタイムセンシティブネットワーク（ＴＳＮ）を含み、
データストリームがＴＳＮストリームを含み、
送信スケジュールが、ＴＳＮストリームを含む１つまたは複数のトラフィッククラスのためのサイクル時間とゲート制御リストとを含む、
実施形態２２に記載の方法。
２４．  送信スケジュールに関係する情報が送信スケジュールを含む、実施形態２２または２３に記載の方法。
２５．  コアネットワークからの応答が、データストリームの送信スケジュールを満たすために無線リソースが割り当てられ得ないことを指示する場合、応答は、無線リソースが割り当てられ得る１つまたは複数のさらなる時間ウィンドウの指示をさらに含む、実施形態２２から２４のいずれか１つに記載の方法。
２６．  コアネットワークからの応答に基づいて、外部ネットワークに、送信スケジュールが満たされ得るかどうかの指示を送ることをさらに含む、実施形態２２から２５のいずれか１つに記載の方法。
２７．  応答が、１つまたは複数のさらなる時間ウィンドウの指示を含む場合、外部ネットワークに送られた指示は、１つまたは複数のさらなる時間ウィンドウに関係する情報をさらに含む、実施形態２６に記載の方法。
２８．  コアネットワークが５Ｇコアネットワーク（５ＧＣ）であり、
要求が５ＧＣのアクセス管理機能（ＡＭＦ）に送られ、応答が５ＧＣのＡＭＦから受信される、
実施形態２２から２７のいずれか１つに記載の方法。
２９．  外部ネットワークに関連する送信スケジュールに従って無線アクセスネットワーク（ＲＡＮ）におけるリソースをスケジュールするように設定された、ＲＡＮに関連するコアネットワークにおけるネットワークノードであって、ネットワークノードが、
通信インターフェースと、
通信インターフェースに動作可能に結合され、実施形態１から１１のいずれか１つに記載のいずれかの動作を実施するように設定された、処理回路と、
ネットワークノードに電力を供給するように設定された電力供給回路と
を含む、ネットワークノード。
３０．  外部ネットワークに関連する送信スケジュールに従ってコアネットワークに関連する無線アクセスネットワーク（ＲＡＮ）におけるリソースをスケジュールするように設定された、ＲＡＮにおけるネットワークノードであって、ネットワークノードが、
通信インターフェースと、
通信インターフェースに動作可能に結合され、実施形態１２から２１のいずれか１つに記載のいずれかの動作を実施するように設定された、処理回路と、
ネットワークノードに電力を供給するように設定された電力供給回路と
を含む、ネットワークノード。
３１．  外部ネットワークに関連する送信スケジュールに従って無線アクセスネットワーク（ＲＡＮ）におけるリソースをスケジュールするように設定された、ＲＡＮと通信しているユーザ機器（ＵＥ）であって、ＵＥが、
通信インターフェースと、
通信インターフェースに動作可能に結合され、実施形態２２から２８のいずれか１つに記載のいずれかの動作を実施するように設定された、処理回路と、
ＵＥに電力を供給するように設定された電力供給回路と
を含む、ユーザ機器（ＵＥ）。
３２．  ユーザデータを提供するように設定された処理回路と、
ユーザ機器（ＵＥ）への送信のためにユーザデータをセルラネットワークにフォワーディングするように設定された通信インターフェースであって、セルラネットワークが、無線インターフェースと処理回路とを有する基地局を含み、基地局の処理回路が、実施形態１２から２１を含む動作のいずれかを実施するように設定された、通信インターフェースと
を含むホストコンピュータを含む通信システム。
３３．  基地局をさらに含む、実施形態３２に記載の通信システム。
３４．  ＵＥをさらに含み、ＵＥが、実施形態２２から２８を含む動作のいずれかを実施するように設定された、実施形態３２または３３に記載の通信システム。
３５．  基地局と通信しているコアネットワークをさらに含み、コアネットワークが、実施形態１から１１を含む動作のいずれかを実施するように設定された、実施形態３２から３４に記載の通信システム。
３６．  ホストコンピュータの処理回路が、ホストアプリケーションを実行し、それによりユーザデータを提供するように設定され、
ＵＥが、ホストアプリケーションに関連するクライアントアプリケーションを実行するように設定された処理回路を含む、
実施形態３２から３５に記載の通信システム。
３７．  ホストコンピュータと、基地局と、ユーザ機器（ＵＥ）とを含む通信システムにおいて実装される方法であって、方法が、
ホストコンピュータにおいて、ユーザデータを提供することと、
ホストコンピュータにおいて、基地局を含むセルラネットワークを介してＵＥにユーザデータを搬送する送信を始動することと、
基地局において、実施形態１２から２１のいずれか１つを含む動作のいずれかを実施することと
を含む、方法。
３８．  基地局においてユーザデータを送信することをさらに含む、実施形態３７に記載の方法。
３９．  ユーザデータが、ホストコンピュータにおいて、ホストアプリケーションを実行することによって提供され、方法が、ＵＥにおいて、ホストアプリケーションに関連するクライアントアプリケーションを実行することをさらに含む、実施形態３７または３８に記載の方法。
４０．  ＵＥにおいて、実施形態２２から２８のいずれか１つを含む動作のいずれかを実施することをさらに含む、実施形態３７から３９に記載の方法。
４１．  通信が、基地局と通信しているコアネットワークをさらに含み、コアネットワークが、実施形態１から１１のいずれか１つを含む動作のいずれかを実施するように設定された、実施形態３７から４０のいずれか１つに記載の方法。
４２．  ユーザ機器（ＵＥ）から基地局への送信から発生したユーザデータを受信するように設定された通信インターフェースを含むホストコンピュータを含む通信システムであって、基地局が無線インターフェースと処理回路とを含み、基地局の処理回路が、実施形態１２から２１のいずれか１つに記載の動作を実施するように設定された、通信システム。
４３．  基地局をさらに含む、実施形態４２に記載の通信システム。
４４．  ＵＥをさらに含み、ＵＥが、基地局と通信し、実施形態２２から２８のいずれか１つを含む動作のいずれかを実施するように設定された、実施形態４２または４３に記載の通信システム。
４５．  基地局と通信しているコアネットワークをさらに含み、コアネットワークが、実施形態１から１１を含む動作のいずれかを実施するように設定された、実施形態４２から４４に記載の通信システム。
４６．  ホストコンピュータの処理回路が、ホストアプリケーションを実行するように設定され、
ＵＥが、ホストアプリケーションに関連するクライアントアプリケーションを実行し、それによりホストコンピュータによって受信されるべきユーザデータを提供するように設定された、
実施形態４２から４５に記載の通信システム。
４７．  コアネットワークのネットワークノードを含む少なくとも１つの処理回路によって実行されたとき、ネットワークノードを、実施形態１から１１のいずれか１つを含む動作のいずれかを実施するように設定する、コンピュータ実行可能命令を記憶する非一時的コンピュータ可読媒体。
４８．  無線アクセスネットワーク（ＲＡＮ）のネットワークノードを含む少なくとも１つの処理回路によって実行されたとき、ネットワークを、実施形態１２から２１のいずれか１つを含む動作のいずれかを実施するように設定する、コンピュータ実行可能命令を記憶する非一時的コンピュータ可読媒体。
４９．  ユーザ機器（ＵＥ）を含む少なくとも１つの処理回路によって実行されたとき、ＵＥを、実施形態２２から２８のいずれか１つを含む動作のいずれかを実施するように設定する、コンピュータ実行可能命令を記憶する非一時的コンピュータ可読媒体。
【０１０７】
参考文献
・  ＩＥＥＥ８０２．１ＡＳ
・  ＩＥＥＥ８０２．１Ｑａ、
・  ＩＥＥＥ８０２．１Ｑｂｕ
・  ＩＥＥＥ８０２．１Ｑｂｖ
・  ＩＥＥＥ８０２．１Ｑｃｈ
・  ＩＥＥＥ８０２．１Ｑｃｒ
・  ＩＥＥＥ８０２．１ＣＢ
・  ＩＥＥＥ８０２．１Ｑｃａ
・  ＩＥＥＥ８０２．１Ｑｃｉ
・  ＩＥＥＥ８０２．１Ｑａｔ
・  ＩＥＥＥ８０２．１Ｑｃｃ
・  ＩＥＥＥ８０２．１Ｑｃｐ
・  ＩＥＥＥ８０２．１ＣＳ
【図１】
2022501895.tif 000003
【図２】
2022501895.tif 000004
【図３】
2022501895.tif 000005
【図４】
2022501895.tif 000006
【図５】
2022501895.tif 000007
【図６】
2022501895.tif 000008
【図７】
2022501895.tif 000009
【図８】
2022501895.tif 000010
【図９】
2022501895.tif 000011
【図１０】
2022501895.tif 000012
【図１１】
2022501895.tif 000013
【図１２】
2022501895.tif 000014
【図１３】
2022501895.tif 000015
【図１４】
2022501895.tif 000016
【図１５】
2022501895.tif 000017
【図１６】
2022501895.tif 000018
【図１７】
2022501895.tif 000019
【図１８】
2022501895.tif 000020
【図１９】
2022501895.tif 000021
【図２０】
2022501895.tif 000022
【図２１】
2022501895.tif 000023
【図２２】
2022501895.tif 000024
【図２３】
2022501895.tif 000025
【図２４】
2022501895.tif 000026
【図２５】
2022501895.tif 000027
【図２６】
2022501895.tif 000028
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
外部ネットワークに関連する送信スケジュールに従って無線アクセスネットワーク（ＲＡＮ）（１６４１）におけるリソースをスケジュールするために、前記ＲＡＮ（１６４１）に関連するコアネットワーク（１６４４）において実施される方法であって、前記方法は、
前記外部ネットワークから、タイムセンシティブネットワーク（ＴＳＮ）のデータストリームであるタイムセンシティブデータストリームに関連する送信スケジュールを受信すること（１２１０）と、
前記ＲＡＮ（１６４１）に、前記ＲＡＮ（１６４１）とユーザ機器（ＵＥ）（１６５１、１６５２、１７３０）との間の前記データストリームの通信のための無線リソースを割り当てるようにとの要求を送ること（１２２０）であって、前記要求が、前記送信スケジュールに関係する情報をさらに含む、要求を送ること（１２２０）と、
前記ＲＡＮ（１６４１）から、前記データストリームに関連する前記送信スケジュールを満たすために無線リソースが割り当てられ得るかどうかを指示する応答を受信すること（１２３０）と
を含む、方法。
【請求項２】
前記外部ネットワークが前記タイムセンシティブネットワーク（ＴＳＮ）を含み、
前記送信スケジュールが、前記データストリームを含む１つまたは複数のトラフィッククラスのためのサイクル時間とゲート制御リストとを含む、
請求項１に記載の方法。
【請求項３】
前記送信スケジュールに関係する前記情報が、
前記ＵＥ（１６５１、１６５２、１７３０）の識別子と、
前記データストリームに関連する１つまたは複数のサービス品質（ＱｏＳ）フローの識別子と、
前記ＱｏＳフローの各々に関連するＱｏＳ要件と
のうちの１つまたは複数を含む、請求項１または２に記載の方法。
【請求項４】
各ＱｏＳ要件は、
前記データストリームが送信されることを必要とされる１つまたは複数の時間ウィンドウ、ならびに／または
初期時間ウィンドウ、および後続の時間ウィンドウを識別する周期性
を含む、請求項３に記載の方法。
【請求項５】
前記応答が、前記データストリームの前記送信スケジュールを満たすために無線リソースが割り当てられ得ないことを指示する場合（１２３５）、前記応答は、無線リソースが割り当てられ得る１つまたは複数のさらなる時間ウィンドウの指示をさらに含む、請求項４に記載の方法。
【請求項６】
前記応答が、前記ＱｏＳフローの各々に関連する前記ＱｏＳ要件が満たされ得るかどうかを指示し、前記ＱｏＳフローの各々に関連する前記ＱｏＳ要件が満たされ得るかどうかの前記指示に基づいて、前記送信スケジュールが満たされ得るかどうかを決定すること（１２４０）をさらに含む、請求項３から５のいずれか一項に記載の方法。
【請求項７】
前記外部ネットワークに、前記送信スケジュールが満たされ得るかどうかの指示を送ること（１２５０）をさらに含む、請求項１から６のいずれか一項に記載の方法。
【請求項８】
前記方法が、５Ｇコアネットワーク（５ＧＣ）におけるアクセス管理機能（ＡＭＦ）によって実施される、請求項１から７のいずれか一項に記載の方法。
【請求項９】
前記送信スケジュールが前記外部ネットワークから受信され、前記無線リソースが、前記ＲＡＮ（１６４１）から前記ＵＥ（１６５１、１６５２、１７３０）へのダウンリンク通信のためのものである、または
前記送信スケジュールが前記ＵＥ（１６５１、１６５２、１７３０）から受信され、前記無線リソースが、前記ＵＥ（１６５１、１６５２、１７３０）から前記ＲＡＮ（１６４１）へのアップリンク通信のためのものである、
請求項１から８のいずれか一項に記載の方法。
【請求項１０】
外部ネットワークに関連する送信スケジュールに従ってコアネットワーク（１６４４）に関連する無線アクセスネットワーク（ＲＡＮ）（１６４１）におけるリソースをスケジュールするために、前記ＲＡＮ（１６４１）において実施される方法であって、前記方法は、
前記コアネットワーク（１６４４）から、タイムセンシティブデータストリームの通信のための前記ＲＡＮ（１６４１）とユーザ機器（ＵＥ）（１６５１、１６５２、１７３０）との間の無線リソースを割り当てるようにとの要求を受信すること（１３１０）であって、前記タイムセンシティブデータストリームは、タイムセンシティブネットワーク（ＴＳＮ）のデータストリームであり、前記要求が、前記データストリームに関連する送信スケジュールに関係する情報をさらに含む、要求を受信すること（１３１０）と、
前記送信スケジュールに関係する前記情報に基づいて、前記送信スケジュールを満たすために無線リソースが割り当てられ得るかどうかを決定すること（１３２０）と、
前記コアネットワーク（１６４４）に、前記送信スケジュールを満たすために前記無線リソースが割り当てられ得るかどうかを指示する応答を送ること（１３５０）と
を含む、方法。
【請求項１１】
前記外部ネットワークが前記タイムセンシティブネットワーク（ＴＳＮ）を含む、
請求項１０に記載の方法。
【請求項１２】
前記送信スケジュールに関係する前記情報が、
前記ＵＥ（１６５１、１６５２、１７３０）の識別子と、
前記データストリームに関連する１つまたは複数のサービス品質（ＱｏＳ）フローの識別子と、
前記ＱｏＳフローの各々に関連するＱｏＳ要件と
のうちの１つまたは複数を含む、請求項１０または１１に記載の方法。
【請求項１３】
前記応答は、前記ＱｏＳフローの各々に関連する前記ＱｏＳ要件が満たされ得るかどうかを指示する、請求項１２に記載の方法。
【請求項１４】
各ＱｏＳ要件は、
前記データストリームが送信されることを必要とされる１つまたは複数の時間ウィンドウ、ならびに／または
初期時間ウィンドウ、および後続の時間ウィンドウを識別する周期性
を含む、請求項１２または１３に記載の方法。
【請求項１５】
前記データストリームに関連する前記送信スケジュールを満たすために無線リソースが割り当てられ得ないと決定された場合（１３３０）、前記方法は、無線リソースが割り当てられ得る１つまたは複数のさらなる時間ウィンドウを決定することをさらに含み、
前記応答が、前記１つまたは複数のさらなる時間ウィンドウの指示をさらに含む、
請求項１４に記載の方法。
【請求項１６】
前記データストリームに関連する前記送信スケジュールを満たすために無線リソースが割り当てられ得ると決定された場合（１３４０）、前記方法は、前記ＲＡＮ（１６４１）と前記ＵＥ（１６５１、１６５２、１７３０）との間の少なくとも１つの無線ベアラに前記１つまたは複数のＱｏＳフローをマッピングすることと、前記少なくとも１つの無線ベアラのための送信リソースを予約することとをさらに含む、請求項１２から１５のいずれか一項に記載の方法。
【請求項１７】
前記送信スケジュールを満たすために無線リソースが割り当てられ得るかどうかを決定することが、現在のまたは推定されたトラフィック負荷のために必要とされるリソースと、前記ＵＥ（１６５１、１６５２、１７３０）の能力と、前記ＲＡＮ（１６４１）と前記ＵＥ（１６５１、１６５２、１７３０）との間のチャネル品質と、前記ＵＥ（１６５１、１６５２、１７３０）のために割り当てられるべき追加の保証リソースの必要とのうちの１つまたは複数にさらに基づく、請求項１０から１６のいずれか一項に記載の方法。
【請求項１８】
前記方法が、５Ｇ  ＲＡＮ（ＮＧ−ＲＡＮ）におけるｇノードＢ（ｇＮＢ）によって実施される、請求項１０から１７のいずれか一項に記載の方法。
【請求項１９】
外部ネットワークに関連する送信スケジュールに従って無線アクセスネットワーク（ＲＡＮ）（１６４１）におけるリソースをスケジュールするために、前記ＲＡＮ（１６４１）と通信しているユーザ機器（ＵＥ）（１６５１、１６５２、１７３０）において実施される方法であって、前記方法は、
前記外部ネットワークから、タイムセンシティブネットワーク（ＴＳＮ）のデータストリームであるタイムセンシティブデータストリームに関連する送信スケジュールを受信すること（１４１０）と、
前記ＲＡＮ（１６４１）に関連する第５世代（５Ｇ）コアネットワーク（１６４４）のアクセス管理機能（ＡＭＦ）に、前記ＵＥ（１６５１、１６５２、１７３０）と前記ＲＡＮ（１６４１）との間の前記データストリームの通信のための無線リソースを割り当てるようにとの要求を送ること（１４２０）であって、前記要求が、前記送信スケジュールに関係する情報をさらに含む、要求を送ること（１４２０）と、
前記５Ｇコアネットワーク（１６４４）の前記ＡＭＦから、前記送信スケジュールを満たすために無線リソースが割り当てられ得るかどうかを指示する応答を受信すること（１４３０）と
を含む、方法。
【請求項２０】
外部ネットワークに関連する送信スケジュールに従って無線アクセスネットワーク（ＲＡＮ）（１６４１）におけるリソースをスケジュールするように設定された、前記ＲＡＮ（１６４１）に関連するコアネットワーク（１６４４）におけるネットワークノードであって、前記ネットワークノードが、
通信インターフェースと、
前記通信インターフェースに動作可能に結合され、請求項１から９のいずれか一項に記載のいずれかの動作を実施するように設定された、処理回路と、
前記ネットワークノードに電力を供給するように設定された電力供給回路と
を含む、ネットワークノード。
【請求項２１】
外部ネットワークに関連する送信スケジュールに従ってコアネットワーク（１６４４）に関連する無線アクセスネットワーク（ＲＡＮ）（１６４１）におけるリソースをスケジュールするように設定された、前記ＲＡＮ（１６４１）におけるネットワークノード（１６４２ａ、１６４２ｂ、１６４２ｃ、１７２０）であって、前記ネットワークノード（１６４２ａ、１６４２ｂ、１６４２ｃ、１７２０）が、
通信インターフェース（１７２６）と、
前記通信インターフェース（１７２６）に動作可能に結合され、請求項１０から１８のいずれか一項に記載のいずれかの動作を実施するように設定された、処理回路（１７２８）と、
前記ネットワークノード（１６４２ａ、１６４２ｂ、１６４２ｃ、１７２０）に電力を供給するように設定された電力供給回路と
を含む、ネットワークノード（１６４２ａ、１６４２ｂ、１６４２ｃ、１７２０）。
【請求項２２】
ユーザ機器（ＵＥ）（１６５１、１６５２、１７３０）を含む少なくとも１つの処理回路によって実行されたとき、前記ＵＥ（１６５１、１６５２、１７３０）を、請求項１９に記載の動作を実施するように設定する、コンピュータ実行可能命令を記憶する非一時的コンピュータ可読媒体。
【国際調査報告】
2022501895.tif 000029
2022501895.tif 000030